(57)【要約】【課題】ユーザが視聴または再生している番組と関連のある情報を抽出し、番組の自動録画の設定あるいはユーザへの番組の視聴を促すことのできる電子機器、番組推奨システム、番組推奨方法及び番組推奨プログラムを提供する。【解決手段】実施形態の電子機器は、グループ特定手段と、アクセス手段と、検索手段と、コンテンツ提示手段と、を具備する。再生中のコンテンツ内のクラスタを含むクラスタグループを特定する。アクセス手段は、前記グループ特定手段が特定したクラスタグループと関連のある任意のクラスタグループの集合にアクセスする。検索手段は、前記アクセス手段がアクセスした集合が含むクラスタグループにより特定されるコンテンツを検索する。コンテンツ提示手段は、前記検索手段が検索した結果を提示する。【選択図】図１
2015056139.tif 000002
【特許請求の範囲】
【請求項１】
再生中のコンテンツ内のクラスタを含むクラスタグループを特定するグループ特定手段と、
前記グループ特定手段が特定したクラスタグループと関連のある任意のクラスタグループの集合にアクセスするアクセス手段と、
前記アクセス手段がアクセスした集合が含むクラスタグループにより特定されるコンテンツを検索する検索手段と、
前記検索手段が検索した結果を提示するコンテンツ提示手段と、
を具備する電子機器。
【請求項２】
前記グループ特定手段が特定するクラスタグループの集合の内容は、変更可能である請求項１の電子機器。
【請求項３】
前記検索手段による検索順は、変更可能である請求項１または２の電子機器。
【請求項４】
前記検索手段による検索順は、前記コンテンツの視聴履歴に基づいて変更可能である請求項３の電子機器。
【請求項５】
前記検索手段による検索順は、前記コンテンツの人気度合いに基づいて変更可能である請求項３の電子機器。
【請求項６】
前記コンテンツ提示手段が提示する前記コンテンツの録画を予約する予約手段をさらに具備する請求項１〜５のいずれかの電子機器。
【請求項７】
再生中のコンテンツ内のクラスタを含むクラスタグループを特定するグループ特定手段と、
前記グループ特定手段が特定したクラスタグループと関連のある任意のクラスタグループの集合にアクセスするアクセス手段と、
前記アクセス手段がアクセスした集合が含むクラスタグループにより特定されるコンテンツを検索する検索手段と、
前記検索手段が検索した結果を提示するコンテンツ提示手段と、
を具備する番組推奨システム。
【請求項８】
前記グループ特定手段が特定するクラスタグループの集合の内容は、変更可能である請求項７の番組推奨システム。
【請求項９】
前記検索手段による検索順は、変更可能である請求項７または８の番組推奨システム。
【請求項１０】
前記検索手段による検索順は、前記コンテンツの視聴履歴に基づいて変更可能である請求項９の番組推奨システム。
【請求項１１】
前記検索手段による検索順は、前記コンテンツの人気度合いに基づいて変更可能である請求項９の番組推奨システム。
【請求項１２】
再生中のコンテンツ内のクラスタを含むクラスタグループを特定し、
特定したクラスタグループと関連のある任意のクラスタグループの集合にアクセスし、
アクセスした集合が含むクラスタグループにより特定される番組を検索し、
検索した結果を提示する番組推奨方法。
【請求項１３】
前記グループ特定手段が特定するクラスタグループの集合の内容は、変更可能である請求項１２の番組推奨方法。
【請求項１４】
前記検索手段による検索順は、変更可能である請求項１２または１３の番組推奨方法。
【請求項１５】
前記検索手段による検索順は、前記コンテンツの視聴履歴に基づいて変更可能である請求項１４の番組推奨方法。
【請求項１６】
前記検索手段による検索順は、前記コンテンツの人気度合いに基づいて変更可能である請求項１４の番組推奨方法。
【請求項１７】
再生中のコンテンツ内のクラスタを含むクラスタグループを特定し、
特定したクラスタグループと関連のある任意のクラスタグループの集合にアクセスし、
アクセスした集合が含むクラスタグループにより特定される番組を検索し、
検索した結果を提示する番組推奨プログラム。
【発明の詳細な説明】
【技術分野】
【０００１】
この発明は、電子機器、番組推奨システム、番組推奨方法及び番組推奨プログラムに関する。
【背景技術】
【０００２】
放送事業者や配信事業者が供給する番組を受信して記録し、ユーザの要求に応じて再生する電子機器、例えばテレビジョン受信装置あるいはモニタ（ディスプレイ）装置と接続するレコーダ装置（以下クライアント端末またはユーザと称する）は、インターネット等のネットワークを通じて、さまざまな情報の取得が可能である。
【０００３】
また、クライアント端末（ユーザ）は、多くの番組の記録（録画）が可能である。さらに、ユーザ（クライアント端末）は、ネットワークを通じて、さまざまなデータベースを利用可能である。例えば、録画してある録画済み番組の番組名（番組タイトル）や放送局（チャンネル名）及び放送日時から、その番組の登場人物や主要な内容（例えば音楽番組における主要な出演者名や出演グループ名）、等をネットワーク上のデータベース（外部サービス／サーバ）から取得できる。
【先行技術文献】
【特許文献】
【０００４】
【特許文献１】特開２００２−３２３９６号公報
【発明の概要】
【発明が解決しようとする課題】
【０００５】
しかしながら、ネットワークが提供する情報に基づいて、番組を録画するあるいは番組の視聴を促すテレビジョン受信装置は、ユーザが希望する番組を特定する過程において、例えばキーワードの入力やジャンルの設定、等のさまざまな要素の入力を必要とする。
【０００６】
また、出演するグループ名が特定できた場合においても、そのグループに所属する個人を特定してユーザが希望する番組の録画あるいは番組の視聴を促すことは、キーワードの入力やジャンルの設定、等において特別な入力（設定）手法や、複雑な組み合わせが必要となる。
【０００７】
この発明の目的は、ユーザが視聴または再生している番組と関連のある情報を抽出し、番組の自動録画の設定あるいはユーザへの番組の視聴を促すことのできる電子機器、番組推奨システム、番組推奨方法及び番組推奨プログラムを提供することである。
【課題を解決するための手段】
【０００８】
実施形態の電子機器は、グループ特定手段と、アクセス手段と、検索手段と、コンテンツ提示手段と、を具備する。再生中のコンテンツ内のクラスタを含むクラスタグループを特定する。アクセス手段は、前記グループ特定手段が特定したクラスタグループと関連のある任意のクラスタグループの集合にアクセスする。検索手段は、前記アクセス手段がアクセスした集合が含むクラスタグループにより特定されるコンテンツを検索する。コンテンツ提示手段は、前記検索手段が検索した結果を提示する。
【図面の簡単な説明】
【０００９】
【図１】実施形態に係るシステム構成の概要の一例を示す。
【図２】実施形態に係るシステム構成の概要の一例を示す。
【図３】実施形態に係る電子機器の関連番組データベースサーバの構成の一例を示す。
【図４Ａ】実施形態に係るシステムにおいてデータ供給元が提供する情報の一例を示す。
【図４Ｂ】実施形態に係るシステムにおいてデータ供給元が提供する情報の一例を示す。
【図４Ｃ】実施形態に係るシステムにおいてデータ供給元が提供する情報の一例を示す。
【図４Ｄ】実施形態に係るシステムにおいてデータ供給元が提供する情報の一例を示す。
【図５Ａ】実施形態に係る表示装置の画面表示の一例（クラウドサービスホーム画面表示）の一例を示す。
【図５Ｂ】実施形態に係る表示装置の画面表示の一例（クラウドサービスマイページ画面表示）の一例を示す。
【図５Ｃ】実施形態に係る表示装置の画面表示の一例（現在再生中の画面表示での入力待ち状態（通常表示））の一例を示す。
【図５Ｄ】実施形態に係る表示装置の画面表示の一例（番組コミュニティサービス画面）の一例を示す。
【図５Ｅ】実施形態に係る表示装置の画面表示の一例（番組コミュニティサービスの設定画面）の一例を示す。
【図５Ｆ】実施形態に係る表示装置の画面表示の一例（番組コミュニティサービスの設定画面）の一例を示す。
【図５Ｇ】実施形態に係る表示装置の画面表示の一例（番組コミュニティサービスの表示画面）の一例を示す。
【図５Ｈ】実施形態に係る表示装置の画面表示の一例（番組コミュニティサービスの表示画面）の一例を示す。
【図６】実施形態に係る［番組コミュニティ］を用いる「おまかせ録画」の概念の一例を示す。
【図７Ａ】実施形態に係る［番組コミュニティ］を用いる「おまかせ録画」の概念の一例を示す。
【図７Ｂ】実施形態に係る［番組コミュニティ］を用いる「おまかせ録画」の設定の一例を示す。
【図７Ｃ】実施形態に係る［番組コミュニティ］を用いる「おまかせ録画」の設定の一例を示す。
【図８】実施形態に係る［番組コミュニティ］を用いた複数台のテレビ装置における「おまかせ録画」を概念の一例を示す。
【図９Ａ】実施形態に係る関連番組データベースが保持する［クラスタ］／［クラスタグループ］（番組コミュニティサービス）の一例を示す。
【図９Ｂ】実施形態に係る関連番組データベースが保持する［クラスタ］／［クラスタグループ］（番組コミュニティサービス）の一例を示す。
【図１０Ａ】実施形態に係る関連番組データベースが保持する［クラスタ］／［クラスタグループ］（番組コミュニティサービス）の一例を示す。
【図１０Ｂ】実施形態に係る関連番組データベースが保持する［クラスタ］／［クラスタグループ］（番組コミュニティサービス）の一例を示す。
【図１０Ｃ】実施形態に係る関連番組データベースが保持する［クラスタ］／［クラスタグループ］（番組コミュニティサービス）の一例を示す。
【図１１Ａ】実施形態に係る表示装置の画面表示の一例を示す。
【図１１Ｂ】図１１Ａが示す画面表示の内容の一例を示す。
【図１２Ａ】実施形態に係る表示装置の画面表示の一例を示す。
【図１２Ｂ】図１２Ａが示す画面表示の内容の一例を示す。
【図１２Ｃ】図１２Ａが示す画面表示内のボタン表示に対応する動作の一例を示す。
【図１３Ａ】実施形態に係る表示装置の画面表示の一例を示す。
【図１３Ｂ】図１３Ａが示す画面表示の内容の一例を示す。
【図１３Ｃ】図１３Ａが示す画面表示内のボタン表示に対応する動作の一例を示す。
【図１４Ａ】実施形態に係る表示装置の画面表示の一例を示す。
【図１４Ｂ】図１４Ａが示す画面表示の内容の一例を示す。
【図１４Ｃ】図１４Ａが示す画面表示内のボタン表示に対応する動作の一例を示す。
【図１５Ａ】実施形態に係る表示装置の画面表示の一例を示す。
【図１５Ｂ】図１５Ａが示す画面表示の内容の一例を示す。
【図１５Ｃ】図１５Ａが示す画面表示内のボタン表示に対応する動作の一例を示す。
【図１６Ａ】実施形態に係る表示装置の画面表示の一例を示す。
【図１６Ｂ】図１６Ａが示す画面表示の内容の一例を示す。
【図１７Ａ】実施形態に係る表示装置の画面表示の一例を示す。
【図１７Ｂ】図１７Ａが示す画面表示の内容の一例を示す。
【図１７Ｃ】図１７Ａが示す画面表示内のボタン表示に対応する動作の一例を示す。
【図１８Ａ】実施形態に係る表示装置の画面表示の一例を示す。
【図１８Ｂ】図１８Ａが示す画面表示の内容の一例を示す。
【図１９Ａ】実施形態に係る表示装置の画面表示の一例を示す。
【図１９Ｂ】図１９Ａが示す画面表示の内容の一例を示す。
【図２０Ａ】実施形態に係る表示装置の画面表示の一例を示す。
【図２０Ｂ】図２０Ａが示す画面表示の内容の一例を示す。
【図２１Ａ】実施形態に係る表示装置の画面表示の一例を示す。
【図２１Ｂ】図２１Ａが示す画面表示の内容の一例を示す。
【図２２Ａ】実施形態に係る表示装置の画面表示の一例を示す。
【図２２Ｂ】図２２Ａが示す画面表示の内容の一例を示す。
【図２３Ａ】実施形態に係る表示装置の画面表示の一例を示す。
【図２３Ｂ】図２３Ａが示す画面表示の内容の一例を示す。
【図２４Ａ】実施形態に係る表示装置の画面表示の一例を示す。
【図２４Ｂ】図２４Ａが示す画面表示の内容の一例を示す。
【図２４Ｃ】図２４Ａが示す画面表示内のボタン表示に対応する動作の一例を示す。
【図２４Ｄ】実施形態に係る表示装置の画面表示の一例を示す。
【図２４Ｅ】実施形態に係る表示装置の画面表示の一例を示す。
【図２５Ａ】実施形態に係る表示装置の画面表示の一例を示す。
【図２５Ｂ】図２５Ａが示す画面表示の内容の一例を示す。
【図２５Ｃ】図２５Ａが示す画面表示内のボタン表示に対応する動作の一例を示す。
【図２６】実施形態に係る表示装置の画面表示の内容の一例を示す。
【図２７】実施形態に係る表示装置の画面表示の内容の一例を示す。
【図２８】実施形態に係る表示装置の画面表示の内容の一例を示す。
【図２９】実施形態に係る表示装置における動作の一例であって、［おまかせ録画設定］の設定を促す動作の一例を示す。
【図３０】実施形態に係る番組コミュニティサービスの概念を模式的に示す。
【図３１】実施形態に係る番組コミュニティサービスにおける表示装置とサーバ（クラウドサービス）との間のデータの受け渡しの一例を示す。
【図３２】実施形態に係るサーバ（クラウドサービス）の主要な構成の一例を示す。
【図３３】実施形態に係る番組コミュニティ（サーバ）の構成及び自動録画処理の一例を示す。
【図３４】実施形態に係る番組コミュニティサービスにおける自動録画対象の検索過程の一例を示す。
【図３５】実施形態に係る番組コミュニティサービスにおけるＥＰＧサーチャーの概要の一例を示す。
【図３６】実施形態に係る番組コミュニティサービスにおけるＥＰＧサーチャーのサーチの一例を示す。
【図３７】実施形態に係る番組コミュニティサービスにおける第一のフィルタ装置でのフィルタリングの一例を示す。
【図３８】実施形態に係る番組コミュニティサービスにおける第三のフィルタ装置でのフィルタリングの一例を示す。
【図３９】実施形態に係る番組コミュニティサービスにおける自動録画条件設定によるフィルタリング（条件設定）の一例を示す。
【図４０】実施形態に係る番組コミュニティサービスにおける自動録画条件設定において、録画対象チャンネルの優先度の設定の一例を示す。
【図４１】実施形態に係る番組コミュニティサービスにおいて、イベント（ユーザによる事前予約あり）を考慮したフィルタリングの一例を示す。
【図４２】実施形態に係る番組コミュニティサービスにおける自動録画予約の更新のタイミングの一例を示す。
【図４３】実施形態に係る番組コミュニティサービスにおける自動録画予約時の優先度の設定の一例を示す。
【図４４】実施形態に係る番組コミュニティサービスにおける自動録画予約時の優先度の設定の一例を示す。
【図４５】実施形態に係る番組コミュニティサービスにおける自動録画予約のプレビュー表示の一例を示す。
【図４６】実施形態に係る番組コミュニティサービスにおけるプログラムリスト処理アプリケーションの構成の一例を示す。
【図４７】実施形態に係る表示装置の画面表示の遷移に基づく遷移画面の画面表示の一例を示す。
【図４８】実施形態に係る表示装置の画面表示の遷移に基づく遷移画面の画面表示の一例を示す。
【図４９】実施形態に係る表示装置の画面表示の遷移に基づく遷移画面の画面表示の一例を示す。
【図５０】実施形態に係る表示装置の画面表示の遷移に基づく遷移画面の画面表示の一例を示す。
【図５１】実施形態に係る表示装置の画面表示の遷移に基づく遷移画面の画面表示の一例を示す。
【発明を実施するための形態】
【００１０】
以下、図面を参照して、本発明の実施の一形態について説明する。
【００１１】
図１は、ユーザ（クライアント端末）である電子機器１０１、電子機器１０１とデータコントローラ１１１を経由して接続するネットワーク、例えばインターネット網１１、インターネット網１１上に位置する少なくとも１つのサーバまたはサーバ群（外部サービス機構）１００１との間の接続の概念を示す。なお、外部サービス機構１００１は、例えばクラウドサービス（番組コミュニティ）と称する場合がある。また、データコントローラ１１１は、電子機器１０１に内蔵されることも可能である。
【００１２】
電子機器１０１は、例えば番組の受信と再生とが可能なデジタルテレビジョン放送受信装置（以下テレビ装置と称する）である。なお、図１は、テレビ装置１０１に、レコーダ装置２０１、またはテレビ装置１０１の制御により。所定の番組を録画するＵＳＢハードディスク装置２０２が接続する例を示す。
【００１３】
テレビ装置１０１は、録画機能を有する場合には、テレビ装置１０１及びレコーダ装置２０１またはＵＳＢハードディスク装置２０２が保持する録画済番組の録画済番組リストを作成可能で、録画機能がない場合には、レコーダ装置２０１及びＵＳＢハードディスク装置２０２が保持する録画済番組の録画済番組リストを作成可能なデータベースとして機能するホームサーバ機能を有する。
【００１４】
また、テレビ装置１０１は、例えばユーザインタフェース、無線または有線の通信機能（例えばブルートゥース（登録商標）等の近距離無線通信及びネットワーク（インターネット）を通じた外部との通信）、放送を受信する機能、受信した放送すなわち番組を処理する処理機能、番組を出力する番組出力機能もしくは記憶（録画）機能等を備える装置であれば、どのような装置であってもよい。装置の一例としては、放送を受信する機能を有するＰＣ（パーソナルコンピュータ）、放送受信装置を有する映像記録装置（レコーダ装置）と接続する映像表示装置（モニタ装置）、あるいは放送受信機能を有する携帯可能端末装置等への適用が可能である。なお、放送は、空間を伝播する電波として放送事業者（放送局）が提供するもの、あるいはケーブルやＩＰ（インターネット・プロトコル）網等のネットワークにより配信事業者が配信するもの等、を含む。また、放送は、映像と音声および／または音楽等を含み、一定の時間（放送時間）を単位とする番組を、連続して、あるいは一定期間（時間）提供する。なお、番組は、コンテンツもしくはストリームと呼称する場合もある。また、映像は、動画と静止画、あるいはテキスト（コード化された符号列で示される文字や記号等で表される情報）ならびにその任意の組み合わせを含む。
【００１５】
外部サービス機構１００１は、例えば履歴サーバ（嗜好情報データベース）１、ＥＰＧサーバ（データベース）２、カレンダ／チャンネルデータサーバ（データベース）３、関連番組データベース（サーバ）４、及びデータ供給元サーバ（メタデータサーバ）５，・・・，等を含む。なお、履歴サーバ１及び関連番組データベース４あるいはＥＰＧサーバ２は、例えばテレビ装置１０１の製造元（メーカー）、もしくはその委託先の企業が運営するものもあるが、テレビ装置１０１の製造元と独立した企業が用意し、運営するものもある。一方で、データ供給元サーバ５は、例えばメタデータ作成機構（メタデータ作成会社）が用意し、運営する場合が一般的である。
【００１６】
履歴サーバ１は、ユーザの嗜好、例えばユーザが視聴あるいは録画した番組を再生した情報、すなわち履歴（ログデータ）等を保持する。また、履歴サーバ１は、テレビ装置１０１がアクセスしたサイトのアクセス履歴、アクセスしたサイトにおいて購入した物品／コンサート等のチケットの購入／宿泊手配、等の決済に関する情報、等を取得する。なお、テレビ装置１０１と履歴サーバ１との間のデータの受け渡しすなわちテレビ装置１０１から履歴サーバ１への情報の供給（送信）及びテレビ装置１０１による履歴サーバ１からの情報の取得（受信）は、データコントローラ１１１が受け持つ。
【００１７】
データコントローラ１１１は、外部サービス機構１００１、すなわち履歴サーバ１、ＥＰＧサーバ２、カレンダ／チャンネルデータサーバ３、関連番組データベース４及びデータ供給元サーバ５のそれぞれとテレビ装置１０１との間のデータの受け渡しを受け持つ。データコントローラ１１１はまた、ユーザからのレコメンドを受けつけ、嗜好情報として処理するレコメンド処理も受け持つ（レコメンド処理エンジン（ＲＥ）としての機能を有する）。
【００１８】
データコントローラ１１１はさらに、インターネット網１１上に位置する任意のサイト（Ｗｅｂページ）とテレビ装置（ユーザ）１０１との間の接続及びデータの受け渡しを制御する。なお、データコントローラ１１１は、テレビ装置１０１とネットワーク（インターネット網１１）との間に位置してもよいし、クラウドサービス１００１内（外部サービス機構１，・・・，Ｎ相互間の任意の位置）に位置してもよい。
【００１９】
ＥＰＧサーバ２は、テレビ装置（ユーザ）１０１が受信する番組の情報を、テレビ装置１０１による直接受信と独立に取得し、データベース（ＤＢ）化して、保持する。
【００２０】
カレンダ／チャンネルデータサーバ（データベース）３は、ユーザが録画予約した番組の放送日時、ユーザが受信（視聴／録画）可能なその地域の放送局（チャンネル）名及び配信事業者が提供するチャンネル名、ユーザが録画予約した番組と放送時間の一部が重複する他局の放送予定、（ユーザが録画予約した番組を含む）再放送情報、等を保持する。
【００２１】
関連番組データベース４は、視聴中または録画した番組の再生中に、ユーザがリモコン装置（操作入力部／携帯端末装置）により、テレビ装置１０１に、所定の操作入力（制御指示）を供給した場合、以下に説明するが、データ供給元サーバ５から供給され、（自身が）保持しているさまざまなデータから、履歴サーバ１が保持するユーザの視聴した番組あるいはユーザが録画予約した番組と関連のある番組と関連のあるデータを抽出する。
【００２２】
データ供給元サーバ５は、上述の番組と関連するさまざまな情報、すなわちメタデータを取り扱うメタデータ作成機構（作成会社）が用意し、管理するもので、ユーザ（テレビ装置）１０１あるいは履歴サーバ１から受信するキーワードや、履歴サーバ１が保持するユーザの嗜好、例えばユーザが視聴した番組またはユーザが録画予約した番組の番組情報及びその番組が含む「キーワード」またはユーザが登録している情報、として抽出可能なさまざまな情報を保持する。
【００２３】
なお、テレビ装置１０１は、データコントローラ１１１を経由するインターネット網１１との間のアクセスのために、例えば図２に一例を示す、クラウドアプリケーション（ＨＴＭＬ／ＪＳ／ＣＳＳ）を、テレビ装置１０１が含むＣＰＵ（プロセッサ）１２１のファームウエアとして、保持する。なお、クラウドアプリケーションは、アプリケーションとしてＣＰＵ１２１が動作可能に取得するものであってもよいし、予め記憶媒体等に記憶されているものであってもよい。
【００２４】
図２に、クラウドアプリケーション（ＨＴＭＬ／ＪＳ／ＣＳＳ）の概略を示す。
【００２５】
クラウドアプリケーション（ＨＴＭＬ／ＪＳ／ＣＳＳ）１０３は、例えばキーイベント（核となる）処理を担う“Ｃｏｎｔｒｏｌｌｅｒ”１０４、画面表示を担う“Ｖｉｅｗ”１０５、及びＤＴＶＭＷ（ブラウザ（インターネット網１１）との間のパス）やインターネット網１１を経由して接続する任意のサーバ（外部サービス機構１００１）１，・・・，Ｎからの情報取得とテレビ装置１０１の操作を担う“ｍｏｄｅｌ”１０６等を含む。テレビ装置１０１はまた、ネットワークを通じて、履歴サーバ１、ＥＰＧサーバ２、関連番組データベース４との間でデータの受け渡し、すなわち、ユーザが現在視聴中の番組あるいは録画した番組を再生している番組中で紹介されている情報と関連のある情報について、データ供給元サーバ５が保持する情報を参照して、合致する情報を含む録画済み番組の抽出、等を行うクラウドモジュール（ＣＥＳＩ）１０７、番組の録画と再生、及び番組やシーン／キーワード（商品）の検索、等を行うデータ処理（記録再生）モジュール１０８及び操作者（ユーザ）による指示入力を受けつける操作入力部（リモコン受信部）１０９、等を含む。なお、操作入力部１０９は、例えばテレビ装置１０１の動作を制御可能に、所定のアプリケーション（ソフトウェア）が用意された携帯可能な端末装置、例えばタブレット装置や多機能通信端末装置（スマートフォン）等であってもよい。
【００２６】
テレビ装置１０１は、データコントローラ１１１、インターネット網１１を経由して、関連番組データベース４及び履歴サーバ１に、テレビ装置（自身）１０１のＩＰアドレスや嗜好情報、現在視聴中の番組あるいは録画した番組を再生している番組中で紹介されている情報、等を送信する。
【００２７】
関連番組データベース４は、図４Ａ〜図４Ｄに一例を示すが、メタデータ作成会社すなわちデータ供給元サーバ５が保持するメタデータを取得し、テレビ装置１０１においてユーザが現在視聴中の番組あるいは録画した番組を再生している番組中で紹介されている情報もしくはその番組と関連のある情報と合致する情報を含む録画済み番組を抽出し、抽出したその番組の情報をテレビ装置１０１に提供する。また、関連番組データベース４は、レコメンド処理により特定するユーザの嗜好も反映する。なお、番組（シーン）の抽出には、番組が含むさまざまなシーン、例えばグループ「ＳＡＢ」、及びそのグループのメンバーである「ＢＣＤ子」さん、あるいは「ＥＦＧ子」さん、もしくは「ＨＩＪ子」、等が個別に出演する番組、等の抽出が可能である。この場合、番組（シーン）の抽出には、例えばグループ「ＳＡＢ」に関し、「ＳＡ」あるいは「ＡＢ」を含ませることも可能であるし、排除することも可能である。反面、グループ「ＳＡＢ」をキーワードとする場合に、「ＳＡ」あるいは「ＡＢ」を含ませることにより抽出漏れは少なくなるが、「ＳＡＢ」とは必ずしも関連が高いとは限らない「ＡＢｘ」や「ｘＳＡ」（ｘは、任意の文字あるいは数字もしくは記号、等）がノイズとして抽出されることを増大する。このため、ノイズの抽出を低減するためには、除外条件の設定がキーとなるが、除外条件の設定にはノウハウも必要であり、また設定の手間もかかることが知られている。なお、番組が含むシーンの特定に用いるキーワードやジャンル、及び上述の「ＳＡＢ」、「ＢＣＤ子」さん、「ＥＦＧ子」さん、「ＨＩＪ子」さん、「ＡＢｘ」や「ｘＳＢ」は、後段に説明するコミュニティにおいて、［クラスタ］と呼称する。また、コミュニティは、［クラスタグループ］と称することもある。
【００２８】
図３は、実施形態に係る関連番組データベースの構成の一例を示す。
【００２９】
まず、関連番組データベース４が提供する機能について記載する。なお、以下の説明においては、テレビ装置（ユーザ／クライアント端末、）１０１と関連番組データベース４またはメタデータサーバ（データ供給元サーバ）５との間のデータの受け渡し時にデータコントローラ１１１を介在させることで、履歴サーバ１に、ユーザ（テレビ装置１０１）からデータ供給元サーバ５へ供給（送信）する情報及びデータ供給元サーバ５からユーザへ提供（受信）する情報のそれぞれ、または対応するキーワード、等を蓄積できる。
【００３０】
＜コマンド（ＷｅｂＡＰＩ）処理＞    
関連番組データベース４は、以下に説明する各種データをメタデータサーバ５から取得し、テレビ装置１０１が保持する録画済番組リストサーバ（レコーダ装置２０１／ＵＳＢハードディスク２０２が保持する場合もある）に提供する。各種データとしては、例えば「シーン情報」や「関連番組データ」等を含む。
【００３１】
＜「シーン情報」リストの取得＞    
ユーザ（テレビ装置）１０１が指定した条件に一致する番組の「シーン情報」のリストを取得する。指定条件に一致する番組の「シーン情報」のリストが複数存在する場合は、全て取得する。条件一致する「シーン情報」のリストが存在しない場合は、その旨が通知される。
【００３２】
＜「シーン情報」リストが存在する「番組一覧」の取得＞    
ユーザ（テレビ装置）１０１が指定した条件の「シーン情報」のリストが存在する番組をリストした「番組一覧」を取得する。
【００３３】
＜「シーン情報」のリスト一覧の取得＞    
ユーザ（テレビ装置）１０１指定した番組に登録されている「シーン情報」のリストである「シーン情報リスト一覧」を取得する。
【００３４】
＜シーン情報リストの取得（ＩＤ指定）＞    
「シーン情報リスト一覧」から、指定したＩＤの「シーン情報」のリストを取得する。
【００３５】
＜「シーン情報」の検索＞    
指定した検索条件に一致する「シーン情報」を含む「シーン情報リスト」を取得する。検索条件には、ユーザが入力する任意キーワードを指定可能なものとする。
【００３６】
＜ユーザの嗜好に基づく「シーン情報」の取得＞    
履歴サーバ１が管理するユーザの嗜好に基づく「シーン情報」すなわち「キーワード」に合致するメタデータ等を取得する。
【００３７】
＜メタデータ取得処理＞    
メタデータサーバ５が提供するメタデータを取得する。
【００３８】
メタデータサーバ５が提供するメタデータの取得には、メタデータサーバ５が提供するＷｅｂＡＰＩを使用する。
【００３９】
＜「シーン情報」生成／送信処理＞    
メタデータサーバ５から取得したメタデータをもとに「シーン情報」を生成し、あるいは「関連番組データ」として抽出して、テレビ装置１０１に送信する。
【００４０】
「シーン情報」の生成時に実行する処理を下記に示す。    
（Ａ）番組情報の引き当て    
テレビ装置１０１は、    
（ａ）番組名（または番組ＩＤ等の識別情報）、    
（ｂ）番組放送日時、    
（ｃ）チャンネル番号を送信する。
【００４１】
メタデータサーバ５は、テレビ装置１０１から受信する上述の（ａ）番組名、（ｂ）番組放送日時、（ｃ）チャンネル番号に基づき、メタデータサーバ５内のデータベースを検索し、１以上の「シーン情報」が登録された該当番組が存在する場合は、その番組の１以上の「シーン情報」を生成した後、テレビ装置１０１に送信する。
【００４２】
メタデータサーバ５は、該当する番組が複数存在する場合は、全ての候補をテレビ装置１０１に送信する。
【００４３】
メタデータサーバ５は、該当する番組が存在しない場合は、その旨をテレビ装置１０１に送信する。すなわち、テレビ装置１０１は、メタデータサーバ５に対して、番組の識別情報（番組名、番組放送日、チャンネル番号等）を送信し、メタデータサーバ５から番組内のシーンに対応する「シーン情報」を受信する。
【００４４】
（Ｂ）「シーン情報」の検索    
テレビ装置１０１から受信した検索条件に一致するメタデータ情報をメタデータサーバ５内のデータベースから検索し、該当するメタデータ情報を含む「シーン情報」のリストをテレビ装置１０１に送信する。検索対象のメタデータは、図４Ａ、図４Ｂ、図４Ｃ、図４Ｄが示す番組放送履歴データ、商品データ、店舗データ、及びＣＭ放送履歴データ、等を含む。
【００４５】
（Ｃ）シーン情報の生成    
メタデータサーバ５内のデータベースに格納された放送履歴データ、商品データ、店舗データ、ＣＭ放送履歴データを関連付け、「シーン情報」を生成する。なお、１「シーン情報」内に、商品情報、店舗情報が存在しない場合もある。また、１「シーン情報」内に複数の商品データ、店舗データが関連付けられる場合もある。
【００４６】
（Ｄ）関連番組データの抽出    
関連番組データベース４は、メタデータサーバ５内のデータベースから、テレビ装置１０１において、ユーザが現在視聴中の番組あるいは録画した番組を再生している番組中で紹介されている情報と関連のある情報と合致する情報を、レコーダ装置２０１（もしくはＵＳＢハードディスク装置２０２（テレビ装置１０１））において録画し、保持している録画済番組から抽出可能に、検索条件を設定する。
【００４７】
すなわち、関連番組データベース４は、録画済番組リストにおいて、テレビ装置１０１あるいはレコーダ装置２０１もしくはＵＳＢハードディスク装置２０２が保持する録画済番組の情報と、ユーザが現在再生している番組の情報と関連のある、あるいは関連付けが可能なメタデータをメタデータサーバ５から抽出し、ユーザ（テレビ装置１０１）が参照可能に、データベース化して保持する。
【００４８】
上述したテレビ装置１０１（ユーザ）、レコーダ装置（録画済番組リストデータベース／ホームサーバ）２０１、及びデータコントローラ１１１がクラウドサービス１００１に接続した状態（あるいは視聴／再生開始後にクラウドサービス１００１に接続した場合）において、現在放送されている番組の視聴中の図５Ａが示すクラウドメニュー［ホーム］画面表示、または図５Ｂが示すクラウドメニュー［マイページ］画面表示から「おまかせ録画」ボタン５０１にカーソルを合わせ、決定ボタン（リモコン端末）をオンすることにより、あるいは図５Ｃが示す現在再生中（視聴中）の番組の画面表示において、リモコン端末の操作によりメニュー画面を表示させ、「おまかせ録画」を選択し、決定ボタンをオンすることにより、図５Ｄが示す、「おまかせ録画コミュニティ」画面表示５１１を表示する。なお、「おまかせ録画コミュニティ」を用いる「おまかせ録画」は、以下に説明する「クラウドサービス（ＴｉｍｅＯｎ（タイムオン））」へのユーザ登録（ユーザによる「番組コミュニティ」への加入）により、実現できる。
【００４９】
クラウドサービス（ＴｉｍｅＯｎ（タイムオン））は、図５Ｄが示す、「おまかせ録画コミュニティ」の利用や「番組コミュニティ」への参加（登録）、マスターとしての「番組コミュニティ」の新設（変更及び追加を含む）、「番組コミュニティ」の新設、変更及び追加に伴う［ポイント］の獲得、「番組コミュニティ」に登録することによる「おまかせ録画」の設定、等が可能なサービスを含む。なお、クラウドサービス（ＴｉｍｅＯｎ（タイムオン））は、図５Ｈが示す「みどころシーン再生」画面表示に基づく、『みどころシーン再生』、等も可能である。
【００５０】
以下、図５Ｄが示す、「番組コミュニティ（［クラスタグループ］）」画面表示から、任意の番組を選択し、［登録／おまかせ録画する］ボタンをオン（バー表示にカーソルを合わせて決定ボタンをオン）することで、おまかせ録画（「おまかせ録画コミュニティ（［クラスタグループ］）」に登録することにより、そのコミュニティがリストする番組の録画）の設定が完了する。なお、図５Ｅに示す、１日あたりの録画時間の上限を設定する設定画面からの上限の設定や、図５Ｆに示す、チャンネルの範囲（通常（地上波）放送／ＢＳ放送／ＣＳ放送）を設定する設定画面からの録画対象とするチャンネルの範囲の設定も可能である。また、図５Ｅが示す上限設定画面表示や図５Ｆが示すチャンネル範囲設定画面表示は、「クラウドサービス（ＴｉｍｅＯｎ（タイムオン））」へのユーザ登録（ユーザによる「番組コミュニティ（［クラスタグループ］）」への加入）時の設定画面表示、あるいはユーザによるリモコン操作に従う所定タイミングの画面表示要求（設定画面表示）により、任意に表示可能である。
【００５１】
なお、「おまかせ録画コミュニティ（［クラスタグループ］）」を用いて録画した番組すなわち「おまかせ録画」した番組は、図５Ｇが示す「おまかせ録画録画リスト」として、テレビ装置１０１に画面表示される（上述）。また、「おまかせ録画」された番組は、後段に説明する「みどころシーン再生」画面表示（図５Ｈ）とのリンク（「みどころシーン再生」からの参照）が、可能である。
【００５２】
図６に、「おまかせ録画」を実現する「おまかせ録画コミュニティ（［クラスタグループ］）」への登録（設定）の手順の一例を示す。
【００５３】
始めに、視聴中の番組の、「番組名」、「ジャンル」、「人名（出演者名）」、「キーワード」、等のログをアップする。なお、視聴中の番組は、現在放送中の番組（オンエア番組）であっても録画済番組であってもよい（Ｓ６１）。
【００５４】
ユーザが、リモコン操作により、「クラウドメニューサービス」を選択すると、視聴中の番組に関連する「番組コミュニティ」が表示される（Ｓ６２）。
【００５５】
「クラウドメニューサービス」画面表示内の「番組コミュニティ」から「おまかせ録画サービス」を選択すると、「おまかせ録画」の対象となる番組リストが表示される。このとき、「おまかせ録画」の対象となる番組リストとしては、選択した［番組コミュニティ（［クラスタグループ］）］に含まれる直近の番組リストを表示する（Ｓ６３）。
【００５６】
ここでリストされた「おまかせ録画」の対象となる番組は、対象のテレビ装置において「おまかせ録画」向け番組として設定（録画予約）される。
【００５７】
なお、例えばＡさんが出演する番組コミュニティ（［クラスタグループ］）［Ａ］、Ｂさんが出演する番組コミュニティ（［クラスタグループ］）［Ｂ］及びドラマランキングコミュニティ（［クラスタグループ］）［Ｃ］の全てを録画しようとする場合において、例えば録画可能なテレビ装置が２台であるとすれば、例えば１台目のテレビ装置［ＴＶ１］に［Ａ］と［Ｃ］のコミュニティを「おまかせ録画」設定し、２台目のテレビ装置［ＴＶ２］に、［Ｂ］のコミュニティを「おまかせ録画」設定することができる。
【００５８】
図７Ａ〜図７Ｃは、「おまかせ録画」をするまでに必要な設定の概略を説明する。
【００５９】
基本的な設定としては、図７Ａが示す、［アカウントの作成（初回のみ）］及び［ログイン］（Ｓ７Ａ１）、「番組コミュニティ」の登録（Ｓ７Ａ２）及び「おまかせ録画」の設定（Ｓ７Ａ３）により、「おまかせ録画」を設定できる。
【００６０】
図７Ｂは、１台目のテレビ装置［ＴＶ１］において、ユーザＡが［アカウントを作成］を作成し、例えば「ゴルフ」番組コミュニティを登録し、「おまかせ録画」を設定する例を示す。
【００６１】
これにより、クラウドサービスサーバにて、ユーザＡが「ゴルフ」番組コミュニティを登録（購読）したことを認識（検出）し、１台目のテレビ装置［ＴＶ１］の「おまかせ録画」をオン（設定）できる。
【００６２】
図７Ｃは、２台目のテレビ装置［ＴＶ２］において、ユーザＡが、１台目のテレビ装置［ＴＶ１］と同じアカウントでログインし、番組コミュニティ（［クラスタグループ］）の登録はするものの「おまかせ録画」の設定が無い場合を示している。
【００６３】
この場合、２台目のテレビ装置［ＴＶ２］は、１台目のテレビ装置［ＴＶ１］で登録済のコミュニティを表示し、２台目のテレビ装置［ＴＶ２］の「おまかせ録画」をオン（設定）できる。
【００６４】
図８（ａ）〜図８（ｄ）は、複数台のテレビ装置に「おまかせ録画」を設定する一例を示す。
【００６５】
基本的な設定としては、図８（ａ）が示す、［アカウントの作成］（Ｓ８Ａ１）、［ログイン］（Ｓ８Ａ２）、「番組コミュニティ（［クラスタグループ］）」登録（Ｓ８Ａ３）及び「おまかせ録画」の設定（Ｓ８Ａ４）により、「おまかせ録画」を設定できる。なお、［アカウントの作成］（Ｓ８Ａ１）は、初回のみであり、通常は、［ログイン］（Ｓ８Ａ２）から実行される。
【００６６】
図８（ｂ）は、１台目のテレビ装置［ＴＶ(Ａ)］において、ユーザＡ（東京たろう）さんが［アカウントを作成］を作成し（Ｓ８Ｂ１）、作成したアカウントで［ログイン］し（Ｓ８Ｂ２）、例えば「ゴルフ」番組コミュニティ（［クラスタグループ］）を登録し（Ｓ８Ｂ３）、１台目のテレビ装置［ＴＶ(Ａ)］上で番組コミュニティからの登録設定から「おまかせ録画」を設定する（Ｓ８Ｂ４）例を示す。
【００６７】
図８（ｃ）は、２台目のテレビ装置［ＴＶ(Ｂ)］において、ユーザＡが、１台目のテレビ装置［ＴＶ(Ａ)］と同じアカウントでログインした場合（Ｓ８Ｃ２）、番組コミュニティとして、１台目のテレビ装置［ＴＶ(Ａ)］で登録した番組コミュニティが表示される（Ｓ８Ｃ３）。なお、アカウントは、１台目のテレビ装置［ＴＶ(Ａ)］において作成済みであるから、新規なアカウントの作成は不要である（Ｓ８Ｃ１）。
【００６８】
これにより、２台目のテレビ装置［ＴＶ(Ｂ)］上で番組コミュニティの登録設定から、「おまかせ録画」を設定する。すなわち、２台目のテレビ装置［ＴＶ(Ｂ)］は、１台目のテレビ装置［ＴＶ(Ａ)］で登録済のコミュニティを表示し、２台目のテレビ装置［ＴＶ(Ｂ)］の「おまかせ録画」をオン（設定）できる（Ｓ８Ｃ４）。
【００６９】
図８（ｄ）は、３台目のテレビ装置［ＴＶ(Ｃ)］において、ユーザＡが、１台目のテレビ装置［ＴＶ(Ａ)］と同じアカウントでログインした場合（Ｓ８Ｄ２）、番組コミュニティとして、１台目のテレビ装置［ＴＶ(Ａ)］で登録した番組コミュニティが表示される（Ｓ８Ｄ３）。なお、アカウントは、１台目のテレビ装置［ＴＶ(Ａ)］において作成済みであるから、新規なアカウントの作成は不要である（Ｓ８Ｄ１）。
【００７０】
これにより、３台目のテレビ装置［ＴＶ(Ｃ)］上で番組コミュニティの登録設定から、「おまかせ録画」を設定する。すなわち、３台目のテレビ装置［ＴＶ(Ｃ)］は、１台目のテレビ装置［ＴＶ(Ａ)］で登録済のコミュニティを表示し、３台目のテレビ装置［ＴＶ(Ｃ)］の「おまかせ録画」をオン（設定）できる（Ｓ８Ｄ４）。
【００７１】
すなわち、図８（ａ）〜図８（ｄ）が示すように、複数のテレビ装置に同じアカウントを用いてログインした場合、登録済の［番組コミュニティ（［クラスタグループ］）］に、自動的に接続する。すなわち、１つの［番組コミュニティ］を、複数のテレビ装置で登録することができる。このとき、［番組コミュニティ］は、「登録」を設定したテレビ装置においてのみ、「おまかせ録画」できる。換言すると、複数の「おまかせ録画」を実現する場合、個々のテレビ装置において、［番組コミュニティ］を登録すればよい。
【００７２】
図９Ａ及び図９Ｂは、［番組コミュニティ］を用いる「おまかせ録画」で利用する［クラスタ］／［クラスタグループ］の例を示す。
【００７３】
図９Ａは、番組１の基本データ（［クラスタ］／［クラスタグループ］）の例を示している。
【００７４】
図９Ａにおいて、番組１には、さまざまな［クラスタ］として、例えば番組固有の番組名、放送チャンネル、放送時間帯などが存在する。さらに番組１の司会者、出演者、共演者［１］、共演者［２］、・・・。共演者［ｎ（ｎは任意数）］、ＣＭ（コマーシャル）情報（スポンサ（企業名）、商品）等の情報も［クラスタ］である。なお、司会者、出演者、共演者［１］、共演者［２］、・・・。共演者［ｎ］、ＣＭ情報は、同一番組名の番組であっても、放送のタイミング（毎週／特定の日時（○×スペシャル）／再放送）等の要因に従って変更される場合がある。
【００７５】
一方で、基本データ（［クラスタ］）においては、不変のデータがある。例えば、番組１がドラマの場合は、原作者、監督、脚本家、番組のジャンル情報がある。
【００７６】
さらに、放送されている番組１が第１話であるか、第２話であるか等を示す情報、出演者、風景（撮影場所）、登場する乗り物（メーカ）、出演者が着た衣装（メーカ）、番組音楽、作曲者などがある。さらにまた、上記の個々の基本データを組み合わせた組み合わせ基本データも存在する。
【００７７】
また、このデータには、同一の基本データを有する他の番組の情報（番組識別情報）が付随していてもよい。
【００７８】
また、番組１が音楽番組である場合、例えば出演者の少なくとも１人（組）がグループであって、そのグループのメンバーの１人以上が独立した出演時間の割り当てを受けている（グループのメンバーも出演者（共演者）である）ような場合、例えばグループ「ＳＡＢ」及びそのグループのメンバーである「ＢＣＤ子」さん、あるいは「ＥＦＧ子」さん、もしくは「ＨＩＪ子」が個別に（同一の）番組に出演しているような場合には、［クラスタ］も、それぞれについて存在することになる。なお、例えば「ＢＣＤ子」さんと「ＥＦＧ子」さんが別のグループを構成する場合、さらに独立した［クラスタ］として識別される。また、グループ「ＳＡＢ」が出演せずに、例えば「ＢＣＤ子」さんと「ＨＩＪ子」さんとが出演するような場合においても、独立した［クラスタ］として識別される。なお、１以上のいくつかの［クラスタ］を集めて（グループ化して）、［クラスタグループ］と称することができる。
【００７９】
なお、図９Ａに示す各種データ（［クラスタ］）の分類や仕分け（グループ化）は、一例であって、必ずしもこのような体系に限定される訳ではない。例えば、全てのファイルが一体化されたデータファイルとして構成され、関連データ（［クラスタ］）間に、関連データがリンクするように、例えばリンク情報（あるいは［クラスタ］グループ化規則）が記述されていてもよい。なお、［クラスタ］グループ化規則（リンク情報）は、例えば『必ず含む（除外しない）』という特別な［クラスタ］を含ませた［クラスタグループ］の作る際に、その特別な［クラスタ］の欠落を防ぐために、有益である。また、上述したグループ「ＳＡＢ」については除外し、そのグループのメンバーである「ＢＣＤ子」さんのみを抽出する、というグループ化、に役に立つ。
【００８０】
図９Ｂは、上記した各種のデータファイルを利用して、視聴者と他の視聴者を関連付ける（グループ化する）場合の関連付けルート、すなわち［クラスタグループ］を作る際のグループ化の要素の一例を示している。
【００８１】
例えば、関連付けルート（［クラスタグループ］）Ｇ１は、視聴者１が視聴した番組１の基本データ１の一部または全部が、視聴者５が視聴した番組５の基本データの一部または全部と同じであるグループであることを示す。
【００８２】
また、ルート（［クラスタグループ］）Ｇ２は、視聴者３が視聴した番組３の基本データ１の一部または全部が、視聴者５が視聴した番組５の基本データの一部または全部と同じであるグループであることを示している。また、ルート（［クラスタグループ］）Ｇ３は、視聴者２が視聴した番組２と視聴者５が視聴した番組５ｎとが同一であることを示している。同様に、ルート（［クラスタグループ］）Ｇ４は、視聴者３が視聴した番組３と視聴者４が視聴した番組４ｎとが同一であることを示している。
【００８３】
この関連付けルート（［クラスタグループ］）、すなわち［クラスタグループ］を作る際のグループ化は、例えば上述した関連番組データベース４及び履歴サーバ１、ならびにテレビ装置１０１が保持する録画済番組リストサーバが保持する情報と、「おまかせ録画コミュニティ（［クラスタグループ］）」への登録（参加）により、実現できる。
【００８４】
図１０Ａは、［クラスタ］及び［クラスタグループ］すなわち番組に関連する基本情報（［クラスタ］）と他の番組もしくは番組内の個々の［クラスタ］を関連付けて構成する［クラスタグループ］の一例を示す。
【００８５】
図９Ａ及び図９Ｂに示した通り、個々の番組には基本データ、すなわち様々な［クラスタ］を含む。従って、番組１の基本データとして存在する、例えばＣＭ１（［クラスタ］）を含む、番組１−番組２−番組３−番組４を、相互に関連付けることができる。なお、図１０Ａが示すこの番組１−番組２−番組３−番組４の関連付けの状態を、例えば［クラスタグループ］ＣＧ１１と称するものとする。また、上述の［クラスタグループ］ＣＧ１１を、例えば［番組コミュニティ］と称することができる。
【００８６】
なお、［クラスタグループ］ＣＧ１１においては、例えば出演者［２］を軸とする［クラスタグループ（［番組コミュニティ］）］ＣＧ２１との組み合わせにより、番組４を排除することができる。また、番組１に出演する出演者［１］を軸として出演者［１］が出演する番組の［クラスタグループ］ＣＧ１２とジャンル［１］を［クラスタ］とする［クラスタグループ］ＣＧ１２１とにより規定する［クラスタグループ］ＣＧ１０１とを組み合わせて、例えば番組１１及び番組１２をサーチすることも可能となる。
【００８７】
図１０Ａにおいてはまた、例えば出演者［１］と出演者［２］の２名がグループＳＡＢのメンバーである場合には、グループＳＡＢの他のメンバー、例えばメンバー［４１］を［クラスタ］とし、メンバー［４１］が出演する番組をグループ化した［クラスタグループ］ＣＧ４１によりメンバー［４１］が出演する番組５１及び番組５２をサーチすることができる。また、メンバー［４１］が出演する番組５１を［クラスタ］とする［クラスタグループ］から出演者［２１］が出演する番組２１及び番組２２（［クラスタグループ］ＣＧ１２２）がサーチできる。これにより、ジャンル［１］を含む［クラスタグループ］ＣＧ１２１と出演者［２１］との関連が見出される。従って、出演者［１］と出演者［２］、及びＣＭ１による組み合わせではサーチできながった出演者［２１］がジャンル［１］の複数の番組に出演していることを見出すことができる。同時に、出演者［２］と出演者［２１］とをジャンル［１］により関連付けることが可能となり、出演者［２］と出演者［２１］とが出演する番組３１の存在を把握することができる。
【００８８】
図１０Ａにおいてはさらに、例えば出演者［２］を［クラスタ］とする［クラスタグループ］ＣＧ２１とメンバー［３１］を［クラスタ］とする［クラスタグループ］ＣＧ３１との組み合わせにより、例えば他のチャンネル（他局）の番組である番組１０１を抽出できた場合、出演者［１１］を［クラスタ］とする［クラスタグループ］ＣＧ１１１から、出演者１が出演する番組のＣＭ１を［クラスタ］とする［クラスタグループ］ＣＧ１１から出演者２を［クラスタ］とする［クラスタグループ］ＣＧ２１を用いて排除した番組４にたどり着く。
【００８９】
このように、［クラスタグループ］の作り方（［クラスタ］の組み合わせ）により、１つの番組に対して２以上のアプローチ（サーチ方法）を取り得ることを示している。同様に、出演者［２］を［クラスタ］とする［クラスタグループ］ＣＧ２１から番組５２をサーチできることにより、グループＳＡＢのメンバー［４１］を［クラスタ］とする［クラスタグループ］ＣＧ４１を見つけることができる。
【００９０】
すなわち、グループＳＡＢの少なくとも１名のメンバーが出演する番組の［クラスタ（基本データ）］からグループの他のメンバーが単独で、あるいは２名以上で出演する他の番組を［クラスタグループ（番組コミュニティ）］への登録（参加）により、容易に見つけることが可能となる。このことは、グループＳＡＢの誰かが出演する番組の［クラスタ（基本データ）］から、グループＳＡＢは出演しないが、そのメンバーの少なくとも１名が出演する他の番組もサーチできることを示している。
【００９１】
なお、上述した［番組コミュニティ（クラスタグループ）］への登録（参加）により、任意の［クラスタ］を選択し、その［クラスタ］の属する［クラスタグループ］をたどることにより、例えばキーワードの入力や様々な絞込み条件の設定、等は、実質的に必要なくなる。
【００９２】
このように、任意の［クラスタ］を軸とする［クラスタグループ］あるいは別の［クラスタ］を軸とする異なる［クラスタグループ］もしくは［クラスタグループ］内の１以上の［クラスタ］が共通なさらに別の［クラスタグループ］、等のそれぞれについて［番組コミュニティ］を提供できる。
【００９３】
なお、番組コミュニティ（［クラスタグループ］）を利用することで、グループ「ＳＡＢ」及びそのグループのメンバーである「ＢＣＤ子」さん、あるいは「ＥＦＧ子」さん、もしくは「ＨＩＪ子」さん、等が個別に、あるいは任意の２名以上が出演する番組に類似した「ＳＡ」あるいは「ＡＢ」もしくは「ＡＢｘ」や「ｘＳＡ」（ｘは、任意の文字あるいは数字もしくは記号、等）、等がノイズとして抽出されることも抑止できる。
【００９４】
ここで、任意の［クラスタグループ］すなわち［番組コミュニティ］に登録することにより、例えば「アイドルみどころ」や「グルメみどころ」、等、［番組コミュニティ］を選ぶだけで、関連するシーンを視聴可能となる。もちろん、「おまかせ録画」を設定している場合には、関連する番組を自動的に録画できる。すなわち、「興味のある番組は絶対に見逃したくない」場合のような、ニーズを持つユーザは、［番組コミュニティ］に登録し、「おまかせ録画」を設定することで、登録した［番組コミュニティ］に関連付けられた任意数の番組が“おまかせ”で録画される。例えば、「深夜アニメ」番組コミュニティなら、深夜アニメが、「お気に入りの芸能人」の番組コミュニティなら、その芸能人が出演している番組が、どんどん録画される。なお、録画（記録）容量との関係で、上述したように上限を定めた場合、その上限までの範囲で番組が自動録画されることはいうまでもない。
【００９５】
また、「人気の番組は、とりあえずおさえておきたい」というような、ニーズを持つユーザは、具体的に好きな番組ジャンルやお気に入りの芸能人がなくても、「人気番組」や「新番組」のような［番組コミュニティ］で“おまかせ”録画することで、例えばこれまでに知らなかった「おもしろい番組／ジャンル」の発見にもつながる。
【００９６】
このように、［クラスタ］あるいは［クラスタグループ］を含む［番組コミュニティ］に登録し、「おまかせ録画」を設定することにより、例えばネット上のランキングや雑誌の特集記事、友達との会話、等から人気番組の情報を取得し、（さらに）番組表から番組を探して予約する、というような煩わしい、予約録画のための録画の予約が、簡単な手順で録画できる（自動録画が設定される）。
【００９７】
また、タレント名やグループ名、グループのメンバーの個人個人の出演情報、等のキーワードや、番組ジャンル、等、番組検索の対象となる情報についても、ユーザの直接入力が要求されることは極力低減される。すなわち、特定の出演者や番組、等について、ピンポイントで録画する場合であっても、［番組コミュニティ］を探すことにより、文字入力や、○○○を“含む”・“含まない”、等の設定が不要となる。
【００９８】
これにより、例えばグループ「ＳＡＢ」及びグループのメンバーである「ＢＣＤ子」さん、あるいは「ＥＦＧ子」さん、もしくは「ＨＩＪ子」さんが個別に（同一の）番組に出演しているような場合、もしくはグループ「ＳＡＢ」が出演せずに、例えば「ＥＦＧ子」さんと「ＨＩＪ子」さんとが出演するような場合であっても、容易に「おまかせ録画」により録画可能となる。なお、この場合、［番組コミュニティ］は、グループ「ＳＡＢ」をキーワードとする場合に、グループ「ＳＡＢ」とは関連の薄い「ＡＢｘ」や「ｘＳＡ」、等を、そもそも含まないことにより、ノイズすなわち意図しない出演者が登場する番組、等が含まれることも大幅に抑止できる。
【００９９】
このように、本番組推奨システム／番組推奨方法では、［クラスタグループ］すなわち［番組コミュニティ］への登録（参加）により、不特定の多くの番組を、［クラスタグループ］の核となる［クラスタ］を用いることにより、容易に関連付けることができる。
【０１００】
すなわち、上述の［クラスタグループ］すなわち［番組コミュニティ］を利用することにより、１つの番組が含む［クラスタ］をスタート起点にして、それぞれ軸が異なる番組と番組の関連付け、番組との関連付け状態を得ることができる。
【０１０１】
換言すると、本番組推奨システム／番組推奨方法では、［クラスタグループ］すなわち［番組コミュニティ］において、番組に関するさまざまの属性を示す基本データ（［クラスタ］）が定義され、複数の番組の基本データである［クラスタ］をユーザの興味／嗜好に基づいて任意に組み合わせる（システムにおいて呈示される組み合わせをユーザが選択する）ことにより、例えばキーワードの入力や様々な絞込み条件の設定、等を、実質的に必要することなく、容易に、希望する番組の録画（録画予約）や視聴が可能となる。
【０１０２】
なお、［クラスタ］／［クラスタグループ］すなわち［番組コミュニティ］は、図３０〜図４６が示すハードウエア構成において、ユーザが個人レベルで編集（改変）することができる。また、任意のユーザが、他のユーザに、自身が作成した［クラスタグループ］への勧誘をすることができる。さらに、任意のユーザは、他のユーザが作成した［クラスタグループ］を共有（シェア）することができる。
【０１０３】
すなわち、［番組コミュニティ（［クラスタグループ］）］は、予め登録された任意のテレビ装置による番組の視聴中あるいは（録画済番組の）再生中に、テレビ装置からその番組のメタ情報をサーバ（関連番組データベース）へ送信することにより、サーバで検索された同番組に関連する情報として、テレビ装置１０１に供給される。テレビ装置１０１は、受信した（サーバから供給された）任意数のクラスタグループ（番組コミュニティ）を表示する。
【０１０４】
ユーザは、表示された［番組コミュニティ（［クラスタグループ］）］のうちの任意の［番組コミュニティ］を選択することで、［番組コミュニティ］で関連付けられている任意の番組を自動的に録画することができる（「おまかせ録画」）。
【０１０５】
各クラスタグループ（［番組コミュニティ］）は、固有の検索条件を保持している。従って、前記検索条件に基づいて関連付けられた、番組、シーン、ＶＯＤ（Video On Demand）、広告（ＣＭ）、イベント情報、等を検索し、リストアップする。
【０１０６】
検索条件は、単なるキーワード検索条件だけでなく、複数キーワードの［ＯＲ］条件や［ＡＮＤ］条件、除外条件、関連キーワード、等も考慮している。
【０１０７】
前記クラスタグループ（［番組コミュニティ］）に参加、登録することで、参加者同士のコミュニケーションや参加者とクラスタグループのオーナーとのコミュニケーション、等が可能である。これにより、リストアップされる番組の自動録画やシーン、ＶＯＤ、広告、イベント情報、等の閲覧が可能である。
【０１０８】
また、視聴中あるいは再生中の番組から関連する複数のクラスタグループ（［番組コミュニティ］）を表示することができ、検索番組との類似度、優先度、人気、ジャンル、等に基づいた（登録したユーザが指定する／マスター（オーナー）が設定した）表示順序で表示される。
【０１０９】
なお、上述のクラスタグループ（［番組コミュニティ］）は、任意のユーザによるアクセスや更新（改変）が可能である。詳細には、図１１Ａ〜図２９が示す画面表示や入力画面を表示するソフトウエア構成において、ユーザ（もしくはマスター）が個人レベルで編集（改変）することができる。
【０１１０】
例えば、テレビ装置１０１のユーザは、クラスタグループ（［番組コミュニティ］）にアクセスするか、クラスタグループの固有の検索条件などの情報を追加／改変するかを、テレビ装置１０１の画面表示として表示されるＵＩ（User Interface）を用いて、選択的に操作することができる（図１１Ａ〜図２９により後段に説明する）。
【０１１１】
各クラスタグループには、複数のメタ情報が含まれており、ユーザによるクラスタグループの改変（編集）や、追加が可能である。なお、ユーザによるクラスタグループの改変（編集）や、追加に対して、ポイントを付与する。ポイントは、例えば航空会社が用意するマイレージに準じたポイントや、クレジットカード会社や百貨店等が発行するカードに対して購入（利用）額に応じて提供されるポイントに準じた準通貨的な利用の可能なポイントを含む。但し、ユーザによる改変、追加については、内容を解析し、不適切な内容を伴う場合には、例えばマスターが改変を拒絶し、または削除することができる。また、ユーザが改変（編集）、追加したクラスタグループは、ユーザ同士でシェアすることができる。この場合、シェアできるユーザは、図１１Ａ〜図２９が示す［番組コミュニティ］の登録ユーザ（図１２Ａが示す［フレンド選択］により設定）に限ることもできるし、公開として全てのユーザのシェアを許可することもできる。
【０１１２】
なお、図１１Ａ〜図２９が示す番組コミュニティ（［クラスタグループ］）が表示する表示順は、ユーザが選択する番組（番組コミュニティ）に大きな影響を及ぼす。このため、番組コミュニティの表示順は、一例としては履歴サーバ１が保持する視聴履歴に従う。反面、ユーザが希望する番組を呈示するためには、「新着」、「人気（話題性）」すなわち他のユーザの視聴傾向、例えばスポーツの上位チームの試合、等に影響を及ぼす「時事関連性」等を考慮することも必要で有り、ユーザが任意に設定できる（並び替える）ことが可能である。なお、並べ替えの順番の例としては、例えば日付順（古い順／新しい順）、タイトル順、ジャンル（種類）順、ブックマークの多い順、等、さまざまである。もちろん、『必ず含む（除外しない）』、という特別な条件を優先することも可能である。また、再放送の番組は、通常は除外されるが、保存のために、もしくはシリーズの番組のうちのいくつかを録画しそこなったユーザのために、再放送を除外しない設定も可能である。
【０１１３】
図１０Ｂに、［クラスタグループ］の拡張例の一例を示す。
【０１１４】
例えば、図１０Ａにより説明した［クラスタグループ（番組コミュニティ）］が、同一の番組表、例えば多くのテレビジョン装置１０１において受信が可能な地上デジタル放送に基づく場合、例えば図１０Ｂにより説明するように、例えばグループＳＡＢのメンバー［４１］さんを［クラスタ］とする［クラスタグループ］は、例えばＶＯＤ（Video On Demand）すなわちネットワーク（供給形態２）上で配信されるコンテンツ（映像）や、例えばＢＳ（放送衛星を用いる送信）／ＣＳ（通信衛星を用いる送信）等が代表する別のコンテンツ供給形態（供給形態３）においても存在できる。
【０１１５】
従って、図１０Ｂが示すように、例えばグループＳＡＢのメンバー［４１］さんを［クラスタ］とする［クラスタグループ］ＣＧ４１は、例えばＶＯＤコンテンツの［クラスタグループ］の１つであるＣＧＶ１１１や、例えばＣＳ（放送）の番組［Ｎ］を［クラスタ］とする［クラスタグループ］ＣＧＳ１１０１、等との間で、相互に関連付けることができる（図１０Ｂにおいては、説明のため、同一の軸であるように示した）。なお、［番組コミュニティ］の多くは、図１０Ｂが示すように、異なるコンテンツ供給形態の間にまたがって存在できる。これにより、例えばグループＳＡＢの特定のメンバー（メンバーＮさん）が出演する番組であリ、しかも深夜時間帯の放送であって、さらに放送される地域が限定的であるような番組（番組Ｎ）についても、嗜好／興味が似かよっているユーザに、その録画や視聴を提示できる。
【０１１６】
また、図１０Ｂが示す通り、［クラスタグループ（番組コミュニティ）］ＣＧ４１を、異なるコンテンツ供給形態であるＣＧＶ１１１あるいはＣＧＳ１１０１と結びつけることにより、ユーザが気づくことのなかった番組（コンテンツ）にたどり着くことができる。
【０１１７】
すなわち、１つの［クラスタ］から、ユーザが気づいていない／気づくことのなかった関連性の高い番組／コンテンツの録画もしくは視聴を呈示できる。
【０１１８】
図１０Ｃに、［クラスタグループ］の別の視点からの展開の一例を示す。
【０１１９】
例えば、図１０Ａにより説明した［クラスタグループ（番組コミュニティ）］において紹介された番組１がアニメーション、等である場合、例えば声優の一人を［クラスタ］とする［クラスタグループ］ＣＧ１０１１を考える。この場合、番組１においては、例えば原作者［１］を［クラスタ］とする［クラスタグループ］ＣＧ１０１２や製作会社もしくは監督を［クラスタ］とする［クラスタグループ］ＣＧ１０１３が存在できるので、製作会社もしくは監督の［クラスタグループ］ＣＧ１０１３から、ジャンルや対象者の性別及び対象者の年齢層に関する共通性が高いとはいえない別の番組１００１をサーチできた場合、それぞれの番組に関心のある異なる［番組コミュニティ］の登録者に対して、それぞれの登録者が普段は視聴することが多くはない、と思われる番組の録画や視聴を呈示できる。
【０１２０】
すなわち、図１０Ｃが示すように、例えば番組１の監督を［クラスタ］とする［クラスタグループ］ＣＧ１０１３と声優［１］を［クラスタ］とする［クラスタグループ］ＣＧ１０１１、原作者［１］を［クラスタ］とする［クラスタグループ］ＣＧ１０１２から、上述の番組１とは原作者と対象年齢層及び対象性別が異なる番組１００２を呈示できる。
【０１２１】
図３０〜図４６は、実施形態を実現するシステムの概要の一例を示す。
【０１２２】
図３０は、実施形態の番組コミュニティサービスの概念を模式的に示す。
【０１２３】
図３０が示すように、電子機器、例えば録画機能を有するテレビジョン放送受信装置（以下テレビ装置または単にＴＶ／ＴＶ  ｓｅｔと示す）１０１は、自動録画リスト＜Auto REC (Recording) List＞を、サーバ（例えばクラウドサービス＜Cloud Service＞）１００１からダウンロードし、ユーザが希望する番組（コンテンツ）の録画に備える。なお、テレビ装置（ＴＶ）１０１は、例えば録画装置（または記録装置）を接続した表示装置であってもよい。また、サーバ１００１は、１のサーバ装置であっても良いが複数のサーバ装置を含んでいても良い。また、表示装置は、動画／静止画の表示が可能であれば、例えばパーソナルコンピュータ（Personal Computer、ＰＣ）と接続するディスプレイ装置や、例えばタブレット端末装置と呼ばれる携帯可能な装置であってもよい。なお、表示装置と録画装置との間のデータの受け渡しは、無線方式及び有線方式のいずれであってもよい。
【０１２４】
サーバ１００１は、例えば番組コミュニティ＜community＞と称し、ユーザが視聴あるいは録画を希望するコンテンツ（番組）の情報を共有するＳＮＳ（Social Network Service、ソーシャルネットワークサービス）から取得可能な情報やＥＰＧ（Electric Program Guide、電子番組表）が含む情報に基づいて作成する自動録画リストをユーザが取得可能に保持する。なお、番組コミュニティとは、ユーザ等によりある特定のテーマ毎に作成されるものであり、番組コミュニティ毎に１対１で番組リスト（録画すべき番組のリストや視聴すべき番組のリスト）が設定される。言い換えると、番組コミュニティとは、番組リストを軸にして複数ユーザが繋がる仕組みでもあり、番組リストを複数ユーザで共有するための仕組みでもある。なお該録画リストは、ユーザが手動で１件毎に番組を追加して作成されることもあるし、あるいは、ユーザが番組コミュニティに対して設定した検索条件と合致する番組リストが作成されることもある。そして、番組コミュニティにユーザが登録すると、該番組コミュニティに設定された番組リストが、該ユーザの利用する装置にダウンロードされる。その装置は、ダウンロードした番組リストに従って録画処理や再生処理を実行する。サーバ１００１には、ユーザ等により設定された複数の番組コミュニティが存在し、各番組コミュニティには複数のユーザが登録している。また、ユーザは複数の番組コミュニティに登録することが可能である。
【０１２５】
図３１は、テレビ装置とサーバ（クラウドサービス）との間のデータの受け渡しの一例を示す。
【０１２６】
図３１が示すように、テレビ装置１０１は、サーバ１００１との間のデータの受け渡しすなわちサーバ１００１へのアクセスを制御するインタフェース部＜Cloud App＞１０３、及び、取得した自動録画リストを保持し、リストに従いコンテンツ（番組）を記録する情報保持部＜ネイティブ＜DTV Native＞＞１３１及びＣＰＵ（プロセッサ／Central Prossecing Unit）１２１を含む。ＣＰＵ１２１には、後段に説明する『ポイント』を記憶する、例えば不揮発性メモリ（ＮＶＭ）１９１が接続する。なお、ＮＶＭ１９１は、例えばデータコントローラ１１１と接続してもよいし、サーバ１００１内に設けられてもよい。
【０１２７】
インタフェース部１４３は、サーバ１００１が提供する番組コミュニティに対し、自動録画のための録画設定を受け持つ自動録画ユーザインタフェース＜Auto Rec Setting UI＞１０７及び自動録画のための検索条件設定を受け持つ検索ユーザインタフェース＜Search Set UI＞１４９及び両者を制御する＜両者の起動／動作を管理する＞番組コミュニティユーザインタフェース＜Community UI＞１４５を含む。
【０１２８】
情報保持部＜Native＞１４５は、自動録画データ＜Auto Rec Data＞、予約情報（データ＜Reserve Data＞）及びコンテンツ（番組＜Record Content＞）を保持するデータ保持部（ストレージ、例えばＨＤＤ＜Hard Disk Drive＞）１３４と、ＨＤＤ（ストレージ）１３２、１３３及び１３４が保持するコンテンツを管理するデータ保持部管理部＜Hard Disk usage＞１３７を含む。なお、予約情報（データ＜Reserve Data＞）は、テレビ装置１０１に既に設定されている録画予約のデータであり、録画予約された番組のリスト等である。予約情報（データ＜Reserve Data＞）は、自動録画（おまかせ録画）データにより設定された録画予約と、テレビ装置１０１に対するユーザ操作により設定された録画予約とを含んでいても良い。
【０１２９】
アップロード部＜Log Upload＞１３５は、データ保持部１３２が保持する予約情報＜Reserve Data＞をサーバ１００１に送信する。リスト取得部＜Get Auto Rec List＞１３７は、自動録画データ（自動録画リスト＜Auto Rec Data＞）１０１５をサーバ１００１から取得する。
【０１３０】
データ保持部１３２は、リスト取得部＜Get Auto Rec List＞１３６が取得した自動（おまかせ）録画データ（自動録画リスト＜Auto Rec Data＞）を記憶する。データ保持部管理部＜Hard Disk usage＞１３７は、テレビ装置１０１に設定された録画の制約条件を記憶する。ここで制約条件とは録画に関する制約であり、例えば、録画可能なチャンネル、録画可能な時間帯、及び一日あたりの録画可能時間等である。そしてテレビ装置１０１は、取得した自動録画リストに基づいて、該リストが示す番組を録画する。なおテレビ装置１０１は、ＨＤＤ（データ保持部１３２、１３３及び１３４）の残り残量が所定値未満の場合、自動（おまかせ）録画リストに含まれる番組のうち優先度が高い番組を優先的に録画しても良い。録画すべき番組の優先度は、例えば番組のチャンネルの優先度、番組の時間帯の優先度、番組が属する番組コミュニティの優先度、あるいは番組コミュニティに登録したユーザの優先度、等により決定される。
【０１３１】
なお、テレビ装置１０１における上述の各部（ブロック）／インタフェース、等の動作は、ＣＰＵ（Central Prossecing Unit）１２１が制御する。
【０１３２】
サーバ１００１は、自動録画設定部＜Auto Rec Setting(s)＞１０１１、検索条件保持部＜Search Set＞１０１２、検索部＜Search Engine＞１０１３、ＥＰＧデータ保持部＜Nimbus EPG＞１００５、カレンダデータベース部＜Calender DB＞１００７、アップロード受付部＜Log Collector＞１０１４、及び自動録画（おまかせ録画）リスト作成部＜Auto Rec List＞１０１５を含む。なお、サーバ１００１の各要素は、例えばＭＰＵ（メイン制御ブロック）１１０１が制御する。
【０１３３】
自動録画設定部＜Auto Rec Setting(s)＞１０１１は、テレビ装置１０１の自動録画ユーザインタフェース１０７からの入力である録画設定＜Auto Rec Setting＞情報と、テレビ装置１０１の検索ユーザインタフェース１４９からの入力である検索条件＜Search Set＞情報とに従い、自動録画設定を設定し、保持する。
【０１３４】
検索条件保持部＜Search Set(s)＞１０１２は、テレビ装置１０１からの検索条件＜Search Set＞情報を受けつけ、自動録画設定部及び検索部に供給する。
【０１３５】
検索部＜Search Engine＞１０１３は、検索条件保持部１０１２からの検索条件とアップロード部＜Log Upload＞１３５からの予約情報＜Reserve Data＞とを受けつけ、ＥＰＧデータ保持部１００５が保持する番組情報とカレンダデータベース部１００７が管理する日時情報とを参照して、自動（おまかせ）録画のためのコンテンツを検索する。検索部１０１３は、検索した結果を、自動録画向けのお勧めデータ＜Auto Rec Data＞として利用可能に、アップロード受付部＜Log Collector＞１０１４を通じて自動録画リスト作成（保持）部＜Auto Rec List(s)＞１０１５に供給する。即ち検索部１０１３は、番組コミュニティ毎にマスター等が設定した検索条件に基づいて番組を検索し、該検索により得られた番組リストを、自動録画リスト作成（保持）部＜Auto Rec List(s)＞１０１５に供給する。アップロード受付部＜Log Collector＞１０１４は、テレビ装置１０１から予約情報＜Reserve Data＞を収集する。なおアップロード受付部＜Log Collector＞１０１４は、例えばユーザ単位で予約情報を取得しても良い。即ち、あるユーザがテレビ装置１０１のような録画装置／録画機能があるテレビ装置／コンテンツの録画と再生が可能なレコーダ装置、等を複数利用している場合、該ユーザに紐付けられた（リンクが設けられた）複数の装置から予約情報を取得しても良い。この場合にサーバ１００１は、ユーザと該ユーザが利用する機器の対応を示すリストを保持していても良い。アップロード受付部＜Log Collector＞１０１４は、更に、一つの録画装置を複数のユーザが利用している場合、該複数ユーザ夫々が設定した録画予約についての予約情報を取得しても良い。また、アップロード受付部＜Log Collector＞１０１４は、テレビ装置１０１に設定された視聴予約の情報を取得しても良い。また、アップロード受付部＜Log Collector＞１０１４は、テレビ装置１０１に設定された制約条件の情報を取得しても良い。ここで制約条件とは、テレビ装置１０１に設定された、録画に関する制約であり、例えば、録画可能なチャンネル、録画可能な時間帯、及び一日あたりの録画可能時間等である。
【０１３６】
自動録画リスト保持（作成）部１０１５は、検索部１０１３による検索結果をリスト取得部（テレビ装置１０１）が自動（おまかせ）録画（向け）お勧めデータとして取得可能に、保持する。即ち自動録画リスト保持（作成）部１０１５は、番組コミュニティ毎に設定された自動（おまかせ）録画リストをネットワークに公開し、インタフェース部＜Cloud App (Front-end)＞１４５からアクセス可能な状態とする。また自動録画リスト保持作成部１０１５は、検索部１０１３の検索により得られた自動録画リストに含まれる番組から、アップロード受付部＜Log Collector＞１０１４が取得した予約情報が示す番組と重複する番組を除いた自動録画リストをテレビ装置１０１毎に用意する。なお、ここで、自動録画リスト作成部１０１５は、予約情報のうち、録画予約の情報が示す番組のみを除いても良いし、あるいは録画予約の情報が示す番組と視聴予約の情報が示す番組とを除いても良い。更に自動録画リスト作成部１０１５は、テレビ装置１０１に設定された制約条件に基づいて自動録画リスト中の番組を絞り込んだ自動録画リストを作成しても良い。
【０１３７】
そして自動録画リスト保持作成部１０１５は、テレビ装置１０１からの要求に応じて該リストを送信する（テレビ装置１０１は、リスト保持作成部１０１５が保持する自動録画リストを、自身のダウンロード要求に従い、ダウンロードする）。つまりサーバ装置１００１は、検索部１０１３による検索結果としての自動録画リストを公開する機能と、該録画リストをテレビ装置１０１毎にアレンジした自動録画リストをテレビ装置１０１に送信する（テレビ装置／レコーダ装置がダウンロード可能に保持する）機能とを有する。
【０１３８】
なお、図３８は、記録（録画）装置（ＨＤＤ／レコーダ／テレビ装置）を１台として示しているが、記録装置（ＨＤＤ／テレビ装置）が複数（個／台）である場合、サーバ１００１は、記録装置毎に、自動録画（向け）お勧めデータ＜Auto Rec Data＞を用意できる。即ち、テレビ装置１０１（記録装置）に対して複数のユーザアカウントが設定されており、複数アカウント（ユーザ）のそれぞれが異なる番組コミュニティに登録されている場合、自動（おまかせ）録画リスト作成部１０１５は、個々の番組コミュニティそれぞれの自動録画リストを纏めた自動録画リストを生成し、纏めた自動録画リストをテレビ装置１０１に送信しても良い（テレビ装置／レコーダ装置がダウンロード可能に保持する）。また、この場合、自動録画リスト作成部１０１５は、複数ユーザ夫々が利用する複数機器（記録装置／録画機能つきテレビ装置）から予約情報を取得して、纏めた自動録画リストに含まれる番組のうち予約情報と重複する番組を除いた自動録画リストを作成しても良い。従って、例えばコンテンツの種類（年齢制限の有無）やジャンル＜Genre＞に基づいて、記録装置を区分することも可能である。
【０１３９】
図３２は、番組コミュニティ＜community＞を実現するサーバ（クラウドサービス）の主要な構成を示す。
【０１４０】
図３２に示す通り、サーバ１００１は、カレンダデータベース部＜Calender DB＞１００７と自動録画ベース部＜Auto Rec DB＞１００９とを含むデータベース部１００３を含む。
【０１４１】
データベース部１００３には、例えば外部のカレンダーサーバ＜○○ＥＣ２（tc-calender）＞が含む自動録画サーバ＜Auto Rec Service（Web API）＞及び自動録画制御部＜Auto Rec Service（cron job）＞が接続する。
【０１４２】
データベース部１００３には、番組コミュニティサービス＜community Front-end＞が、上述の外部のカレンダーサーバの自動録画サーバ内の自動録画サービスプログラム（アプリケーション＜Auto Rec Service Web API＞）を介して接続する。データベース部１００３にはまた、テレビ装置＜DTV Native＞１０１が、上述の外部のカレンダーサーバの自動録画制御部内の自動録画通信制御部（Auto Rec Comm Protocol＜自動録画通信プロトコル＞）を介して接続する。
【０１４３】
また、自動録画ベース部＜Auto Rec DB＞１００９は、自動録画検出部＜Auto Rec EPG Searcher＞が、ＥＰＧデータベース部＜NIMBUS JP API (Nimbus TV Listing Data)＞１００５´から取得するＥＧＰデータを参照して、自動録画のためのデータベースを保持する。
【０１４４】
図３３は、番組コミュニティ＜community＞サービスにおける番組コミュニティ（サーバ）の構成及び自動録画処理＜Backend＞の例を示す。
【０１４５】
図３３が示すように、番組コミュニティ（サーバ）１００１は、例えばＴｃ−ｆｒｏｎｔサーバ＜Tc-front＞１０２１、Ｔｃ−ｂａｃｋサーバ＜Tc-back＞１０２２、Ｔｃ−ｂｏｍサーバ＜Tc-bom＞１０２３、Ｔｃ−ｃａｌｅｎｄｅｒサーバ＜Tc-calender＞１０２４、ＥＰＧデータベース部＜NIMBUS JP API (Nimbus TV Listing Data)＞１００５´及びカレンダー管理部＜calender DAO ＜RDS/S3/etc＞＞１０３１等を、階層的に含む。
【０１４６】
ｆｒｏｎｔサーバ１０２１は、テレビ装置１０１及びｃａｌｅｎｄｅｒサーバ１０２４に、自動録画予約＜Automatic Timer Rec ording Setting＞を設定する。
【０１４７】
ｃａｌｅｎｄｅｒサーバ１０２４は、テレビ装置１０１からの自動予約＜get Auto Reservatior＞を、ｂｏｍサーバ１０２３、ＥＰＧデータベース部＜NIMBUS JP API (Nimbus TV Listing Data)＞１００５´及びカレンダー管理部１０３１に供給する。
【０１４８】
ｃａｌｅｎｄｅｒサーバ１０２４はまた、プログラム（コンテンツ（番組））の検索結果＜Search Result of Programs＞１０５４、自動録画リスト＜Auto Rec List＞１０１５、例えばＥＰＧやカレンダーから特定されるイベントすなわち検索結果に対応する番組（プログラム）の開始時間、終了時間、放送形態、チャンネル等のイベントデータ＜Event Data＞１００５´、及び自動録画予約＜Auto Rec Setting(s)＞１０１５、等を設定する。
【０１４９】
ｂｏｍサーバ１０２３は、カレンダー管理部１０３１に、「番組コミュニティ形式＜Community Configuration＞」１０５３及び「検索条件＜Search Set Setting＞」１０２１´を設定する。
【０１５０】
ｂａｃｋサーバ１０２２は、カレンダー管理部１０３１に、「番組コミュニティメンバー（一覧）リスト＜Forum Members List＞」１０５１及び「番組コミュニティメッセージ＜Forum Messages＞」１０５２を設定する。なお、バックサーバ１０２２がアクセスするカレンダーサーバ１０３１の領域を、領域１０３４、ｂｏｍサーバ１０２３がアクセスするカレンダーサーバ１０３１の領域を、領域１０３２、及びカレンダーサーバ１０２４がアクセスするカレンダーサーバ１０３１の領域を、領域１０３３と呼称する。
【０１５１】
図３４は、番組コミュニティ＜community＞サービスにおける自動録画対象番組（プログラム）の検索過程について示す。
【０１５２】
なお、図３４は、テレビ装置１０１の表示部に表示する画面表示及び画面表示に対するユーザ入力（または設定）に関わる画面表示の遷移と図３３が示すサーバ（番組コミュニティ）内の処理（データ処理）及び処理の流れを模式的に示す。
【０１５３】
＜１＞ＥＰＧサーチャー＜EPG Daily Sercher＞１０１３は、検索条件＜Search Set＞１０９（画面表示）からｂｏｍサーバ１０２３を経由して入力する検索条件＜Search Set Setting (N)＞を参照して、ＥＰＧデータベース部１００５´から検索条件に合致する対象プログラム（番組）を検索する。なおＥＰＧデータベース部１００５´が保持するテレビリストデータは、全国各地域の全放送番組の番組の情報を含んでいても良い。また、検索条件は、例えば番組コミュニティ毎に設定される。
【０１５４】
＜２＞ＥＰＧサーチャー＜EPG Daily Sercher＞１０１３により抽出された番組リスト＜Search Result of Programs＞は、第一のフィルタ装置＜Device Channel Fillter＞により、必要に応じてチャンネル調整される。すなわち、テレビ装置１０１が放送信号を受信する地域により、番組のチャンネルが異なる場合があるため、第一のフィルタ装置は、ＥＰＧサーチャー１０１３により抽出された番組のチャンネルを、テレビ装置１０１の（テレビ装置１０１が位置する）地域に応じたチャンネルに変更する。なお第一のフィルタ装置＜Device Channel Fillter＞は、カレンダデータベース部１０２４のチャンネルリスト＜Channel Number＞を参照してテレビ装置１０１の属する地域を認識し、チャンネル調整する。
【０１５５】
＜３＞第二のフィルタ装置＜Device Forum Fillter＞は、自動録画設定＜Auto Rec Setting for Forum/Device＞１０７（画面表示）及び優先度設定＜Forum Priority Setting＞１０５（画面表示）を通じて入力された自動録画条件＜Auto Record Setting (N)＞１０１１を参照して、テレビ装置１０１に設定された制約条件に応じて自動録画すべきプログラム（番組）をフィルタリングする。
【０１５６】
＜４＞第三のフィルタ装置＜User Timer Rec Fillter＞は、既に録画予約がされていない（イベントがない）録画予約可能な時間のプログラムであることをチェックする。また第３のフィルタ装置は、第二のフィルタ装置＜Device Community Fillter＞からの番組リストに対して新たなプログラムを追加しても良い。ここで、サーバ１００１は、あるユーザアカウントに対して、他のユーザアカウントからのお勧め番組を録画すべき番組として登録させる機能を有している。そして、第３のフィルタ装置＜Device Forum Fillter＞は、このお勧め番組（自動録画＜Auto Rec List＞）を、番組リストに追加する。
【０１５７】
このようにして、テレビ装置（記録装置）１０１が利用可能（ダウンロード可能）に、自動録画リスト＜Auto Rec List＞が、サーバ１００１に設定される。なお、テレビ装置においても、マスター（主）設定＜Auto Rec Master Setting for Device＞に基づいて、録画予約可能であることがチェックされる。
【０１５８】
そしてテレビ装置１０１（ＴＶ  Ｓｅｔ／録画装置）は、自動録画リスト＜Auto Rec List＞を例えば一日一回ダウンロードし、該自動録画リスト＜Auto Rec List＞に応じた録画処理を実行する。なおテレビ装置１０１は、例えばＨＤＤ容量が所定値未満の場合、自動録画リスト＜Auto Rec List＞に対してテレビ装置１０１固有のフィルタリングを実行し、ダウンロードした自動録画リスト＜Auto Rec List＞に含まれる番組のうち録画すべき番組を抽出する。
【０１５９】
図３５は、番組コミュニティ＜community＞サーバにおけるＥＰＧサーチャー＜EPG Daily Sercher＞の概要の一例を示す。
【０１６０】
図３５が示すように、ＥＰＧサーチャーは、例えば１つまたは２つの検索＜Search Set(N)＞において、例えば設定された録画時間＜interest＞におけるプログラム（対象チャンネル）の重複、等を検索する。
【０１６１】
また、ＥＰＧサーチャーは、優先度＜Priority＞に従い、チャンネルを検索する。
【０１６２】
また、ＥＰＧサーチャーは、設定された録画時間＜interest＞に従い、プログラムを検索する。
【０１６３】
また、ＥＰＧサーチャーは、ジャンル＜Genre＞に従い、プログラムを検索する。
【０１６４】
また、ＥＰＧサーチャーは、再放送＜Re-broadcast＞番組については、検索対象から除外することが可能である。
【０１６５】
なお、検索には、ＥＰＧが含むデータも用いる。
【０１６６】
すなわち、ＥＰＧサーチャーは、図５Ｅにより説明したチャンネルの範囲や、図５Ｆに示した１日あたりの録画時間、あるいは上述の優先度、等に基づいて、録画時間が重複すること、等を解消する。
【０１６７】
ＥＰＧサーチャーは、より詳細には、図３６が示す通り、ＥＰＧサーチャーによるＴｃ−ｂｏｍサーバへのアクセスに従い、サーチセット（検索条件）が、ＥＰＧサーチャーにセットされる（ＥＰＧサーチャーが検索条件を取得する）。
【０１６８】
ＥＰＧサーチャーは、取得した検索条件に基づいて、入力（設定条件）に該当する番組（プログラム）を、Ｎｉｍｂｕｓテレビリストデータベース（ＥＰＧデータベース部＜NIMBUS JP API (Nimbus TV Listing Data)＞）から検索する（該当するプログラムがある場合、データベース（所定の記憶領域）に記憶する）。
【０１６９】
図３７は、第一のフィルタ装置＜Device Channel Fillter＞によるフィルタリングの一例を示す。
【０１７０】
例えば、番組コミュニティメンバーによるシェアリストがある場合において、非サービス地域すなわち自動録画しようとするユーザの住む地域においては、放送を受信できない放送局（配信事業者）等が提供する番組あるいはＢＳ／ＣＳ放送のように衛星を用いる放送事業者）が提供する番組、等、ユーザが受信しない放送が含まれる場合、チャンネルフィルタにより、該当する番組の自動録画予約を非設定（非選択）とすることができる。
【０１７１】
図３８は、第三のフィルタ装置＜User Timer Rec Fillter＞によるフィルタリングの一例を示す。
【０１７２】
以下、テレビ装置及びユーザ（番組コミュニティメンバー）が少なくとも一方が２以上である場合であって、例えばＩＤ（ＰＤＩＤ）００１２のテレビ装置にユーザアカウントを登録している第一のユーザ（ユーザＡ）、例えばＩＤ（ＰＤＩＤ００２４）のテレビ装置にユーザアカウントを登録している第三のユーザ（ユーザＣ）、及び、どちらのテレビ装置にもユーザアカウントを登録している第二のユーザ（ユーザＢ）が存在する場合を説明する。まず、サーバ１００１は、ユーザＡ，Ｂ及びＣが、何れの番組コミュニティに登録しているかを認識する。そして、ユーザＡ及びＢが番組コミュニティＳＳＳに、ユーザＢ及びＣが番組コミュニティＧｏｌｆに登録しており、例えば番組コミュニティＳＳＳと番組コミュニティＧｏｌｆの２つの番組コミュニティから自動録画予約が提案されている場合、サーバ１００１は、ユーザＡがメンバーである一方の番組コミュニティ（番組コミュニティＳＳＳ）に設定された番組リストと、ユーザＢがメンバーである他の一方の番組コミュニティ（番組コミュニティＧｏｌｆ）に設定された番組リストを、それぞれのテレビ装置に振り分けることができる。なお番組リストは、例えば自動録画リストや視聴リスト等である。
【０１７３】
すなわち、番組リスト（SSS to 0012 shared by User A，User B）では、ユーザＡ及びＢが番組コミュニティＳＳＳに対して設定した条件に応じた番組リストが作成される。例えば、番組コミュニティＳＳＳに対して、ユーザＡが時間帯Ａに制限した録画を設定し、ユーザＢが時間帯Ｂに制限した録画を設定していた場合、番組リスト（SSS to 0012 shared by User A，User B）では、時間帯Ａと時間帯Ｂとの両方に該当する番組リストが生成される。同様に、番組リスト（Golf to 0024 shared by User B，User C）では、ユーザＢとユーザＣとのＯＲ条件を取った番組リストが生成される。
【０１７４】
そしてこれらの番組リストがテレビ装置＜ＴＶ  Ｓｅｔ＞００１２やテレビ装置＜ＴＶ  Ｓｅｔ＞００２４にダウンロードされることにより、ユーザＡ及びユーザＢのアカウントが登録されたテレビ装置００１２が一方の番組コミュニティが提供する番組リスト（自動録画予約）に基づいて自動録画予約する番組を記録（録画）し、ユーザＣ及びユーザＢが視聴するテレビ装置００２４が他の一方の番組コミュニティが提供する自動録画予約に基づいて自動録画予約する番組を記録（録画）するよう、自動録画予約を組み合わせることで、ユーザＢは、それぞれの番組コミュニティが提案する番組を視聴可能となる。また、ユーザＡは、自身がメンバーである番組コミュニティからの番組リストに基づいて録画される番組を視聴可能である。同様に、ユーザＣは、自身がメンバーである番組コミュニティ（ユーザアカウントを登録した番組コミュニティ）からの番組リストに基づいて録画される番組を録画・視聴可能である。
【０１７５】
図３９は、自動録画条件設定＜「“+++ community” community auto recording setting」＞によるフィルタリング（条件設定）の一例を示す。
【０１７６】
例えば、１２日の自動録画予約が１番組、その時間長が２時間である場合、３時間／１日の設定においては、その番組の全体を録画可能である。
【０１７７】
例えば、１３日の自動録画予約が３番組、その時間長が２時間、１時間、２時間である場合、３時間／１日の設定においては、予約時間の早い順に、２つの番組を録画可能である（３つ目の番組は録画できない）。
【０１７８】
図４０は、自動録画条件設定において、録画対象チャンネルの優先度に関する。なお、実際には、図３５に示したＥＰＧサーチャーにおいて優先度の高いチャンネルの番組を、自動録画予約の対象としてフィルタリングすることである。
【０１７９】
すなわち、図４０の例では、チャンネル「ＣＨ−ＤＤＸ」の番組が、自動録画予約対象として自動録画予約リストに保持される。
【０１８０】
図４１は、イベント（ユーザによる事前予約あり）を考慮したフィルタリングの一例を示す。
【０１８１】
番組コミュニティメンバーによるシェアリストがある場合において、そのリストに、ユーザが既に予約を設定した番組が含まれている場合、該当する番組は、第三のフィルタ装置＜User Timer Rec Fillter＞により自動録画予約の対象から除外される。
【０１８２】
図４２は、自動録画予約の更新＜Upload＞のタイミングの一例を示す。
【０１８３】
テレビ装置は、少なくとも１日１回、自動録画予約のための自動録画リスト＜Auto Rec List＞を、サーバから取得する。このため、更新（取得）に先立って、テレビ装置が保持する予約情報＜Reserve Data＞を、サーバにアップロードする。この際、テレビ装置の電源がオフ（未投入）またはスリープ状態である場合には、アップロードに先立って、テレビ装置の電源をオンする。
【０１８４】
テレビ装置から予約情報＜Reserve Data＞のアップロードがあると、該当するテレビ装置向けの自動録画予約リストをサーバにおいて用意する。テレビ装置は、電源が未投入であった場合には、サーバからの自動録画予約リストのダウンロード（リストの取得）が完了すると、電源をオフする（スリープ状態となる）。
【０１８５】
図４３及び図４４は、テレビ装置１０１に設定される、自動録画予約における優先度の設定の一例を示す。該設定においては、テレビ装置１０１に登録された複数ユーザが登録する番組コミュニティ毎に優先度が設定される。なお、テレビ装置１０１には、個人アカウント（父）及び（サヤ）と、共通アカウント（無印）が登録されており、各アカウントには一意な識別子が割り当てられて、サーバ１００１に管理されている。そして各アカウントは、任意の番組コミュニティを登録し、各番組コミュニティからの自動録画リストを取得することができる。なお、個人アカウント「父」や「サヤ」は、他の装置に登録されていても良い。設定方法については、図２８に示したとおり、リモコンの［↑］［↓］キーによるカーソル移動により、優先度を変更すべき番組コミュニティを選択し、選択後、移動する位置に番組コミュニティ（の表示）を移動して優先度を決定する。優先度は、上方側に位置する番組コミュニティほど、高い（確実な録画が期待できる）ものとする。
【０１８６】
なお、リモコン装置側の［決定］キーを１回［１度目］の操作（オン（押下））により、対象の番組コミュニティを選択する。また、もう１回［２度目］操作（オン（押下））することにより、選択された番組コミュニティの選択を解除する。
【０１８７】
なお、図３８により説明したが、録画装置（テレビ装置）が２以上である場合、番組コミュニティ毎に、録画装置（録画先機器）が統一されてもよい。また、図４１により説明したように、ユーザが既に予約を設定した番組は、優先して録画される。
【０１８８】
図４５は、番組コミュニティサービスを利用した自動録画予約のプレビューについて説明する。
【０１８９】
テレビ装置１０１においては、番組コミュニティサービスを利用する自動録画予約に従い録画する番組が属する番組コミュニティの情報、関連する番組コミュニティの情報、番組コミュニティに登録することにより得られる番組リスト、等を、番組コミュニティトップ画面において、確認できる。また、番組コミュニティトップ画面は、番組コミュニティに登録している場合には、該当する番組コミュニティが提案する番組が、例えば図５Ｄが例示するような、ピクチャインピクチャ（ＰｉｎＰ）表示により、ＰｉｎＰ表示領域に表示される。
【０１９０】
図４８は、サーバ（クラウドサービス）のプログラムリスト処理アプリケーション＜Community Program List API＞の構成を示す。
【０１９１】
プログラムリスト処理アプリケーションは、複数のユーザインタフェース、例えば図５Ｅ及び図５Ｆ、あるいは図４５に示す番組コミュニティトップ画面からユーザの選択に従い遷移するさまざまな画面表示、等を表示するための信号処理部として機能するエージェント＜Agents＞を共通化している。なお「Ｎは、正の整数」を示す。
【０１９２】
プログラムリスト処理アプリケーションは、個々のエージェント＜Agents＞すなわち図３４等において説明するＥＰＧサーチャー＜EPG Daily Sercher＞、ランキングインジェクタ＜Timer Recording Ranking Injector＞、ホットリストインジェクタ＜“+++” Hot List Injector＞、あるいはユーザ予約設定部＜Personalized Recommendation Injector＞を共通化したものである。
【０１９３】
ＥＰＧサーチャーは、ＮｉｍｂｕｓＥＰＧサーチャー＜Nimbus EPG Sercher＞からデータを取得するアプリケーション（プログラム）であり、ランキングインジェクタは、ＣｌｏｕｄＬｏｇ／ＨＤＥＸＬｏｇサーチャー＜Cloud Log/HDEX Log Sercher＞から、同様にデータを取得する。ホットリストインジェクタ＜“+++” Hot List Injector＞は、Ｎｉｍｂｕｓホットリストアプリケーション＜Nimbus “+++” Hot List API＞から、同じくユーザ予約設定部は、レコメンデーションエンジン＜Recommendation Engine＞からデータを取得する。
【０１９４】
なお、プログラムリスト処理アプリケーションによる検索結果＜Search Result of Programs＞は、記録装置が保持（記録）する。
【０１９５】
次に、上述の要求を実現する実施形態を説明する。なお、図１１Ａ〜図２９は、テレビ装置１０１における画面表示例や処理例を示すものである。
【０１９６】
＜＜番組コミュニティトップ＞＞    
図１１Ａは、実施形態に係る表示装置（テレビ装置１０１の表示部）の画面表示の一例であって、番組コミュニティトップ＜「Community TOP」＞画面表示の表示例を示す。
【０１９７】
番組コミュニティトップ画面は、ログインユーザ（ユーザ）が参加している番組コミュニティの一覧を表示する。
【０１９８】
番組コミュニティトップ＜「Community TOP」＞画面表示の初期表示は、以下の［１］〜［４］を含む。
【０１９９】
［１］番組コミュニティメニュー    
［２］番組コミュニティ一覧    
［３］番組コミュニティサブメニュー    
［４］番組コミュニティ詳細。
【０２００】
図１１Ｂは、図１１Ａが示す画面表示の内容の一例であって、番組コミュニティトップ画面表示内の表示内容を示す。
【０２０１】
［１］番組コミュニティメニュー    
◎番組コミュニティのメニューを表示する    
・視聴中テレビ（ＴＶ）映像［１１］    
・関連番組コミュニティ一覧表示ボタン［１２］    
・参加番組コミュニティ一覧表示ボタン［１３］    
・登録番組コミュニティ一覧表示ボタン［１４］    
・番組コミュニティ作成ボタン［１５］    
・番組コミュニティ検索ボタン［１６］    
・タブレット操作ボタン［１７］。
【０２０２】
［２］番組コミュニティ一覧    
◎番組コミュニティメニューより選択された番組コミュニティ一覧を表示する。
【０２０３】
◎一画面に表示される番組コミュニティ数は１３番組コミュニティ数、最大番組コミュニティ数は１００番組コミュニティ。
【０２０４】
◎表示する番組コミュニティが無い場合は、「該当の番組コミュニティはありません。」と表示する。
【０２０５】
・関連番組コミュニティ一覧（番組コミュニティトップ）    
画面起動時に既定値で表示する。
【０２０６】
視聴中のテレビ番組に（出演者やジャンル等が）関連する番組コミュニティの一覧を表示する。
【０２０７】
・参加番組コミュニティ一覧    
参加している番組コミュニティの一覧を表示する。
【０２０８】
・登録番組コミュニティ一覧    
登録した番組コミュニティを表示する。
【０２０９】
［３］番組コミュニティサブメニュー    
◎番組コミュニティ一覧で選択された番組コミュニティの各情報を参照するボタン（アイコン）を表示する。
【０２１０】
◎表示するボタン（アイコン）は以下の通り。
【０２１１】
・番組コミュニティ概要ボタン    
・番組コミュニティメッセージ一覧ボタン    
・番組コミュニティメンバー一覧ボタン    
・番組コミュニティ番組一覧ボタン。
【０２１２】
［４］番組コミュニティ詳細    
◎番組コミュニティサブメニューで選択された情報を表示する。
【０２１３】
・番組コミュニティ概要    
・番組コミュニティメッセージ一覧    
・番組コミュニティメンバー一覧    
・番組コミュニティ番組一覧。
【０２１４】
＜＜番組コミュニティ新規作成＜「Create new Community」＞＞    
図１２Ａは、実施形態に係る表示装置の画面表示の一例であって、番組コミュニティ新規作成＜「Create new Community」＞画面表示内の表示内容を示す。
【０２１５】
図１１Ａに示す番組コミュニティトップ画面表示の参加番組コミュニティ一覧より、番組コミュニティ新規作成＜「Create new Community」＞を選択すると、番組コミュニティの新規作成画面をポップアップ＜Pop Up＞表示（［現在表示中の画面］の画面表示に重ねて、ＯＳＤ（On Screen Display）表示により、番組コミュニティ新規作成画面を表示する。
【０２１６】
番組コミュニティ新規作成画面［０３６］は、    
◎番組コミュニティ名    
◎フレンド＜「Friend」＞選択    
◎番組コミュニティ概要    
◎番組コミュニティ種類    
◎キャンセル＜「Cancel」＞ボタン    
◎作成＜「Create」＞ボタン    
を含む。
【０２１７】
図１２Ｂは、図１２Ａが示す番組コミュニティ新規作成＜「Create new Community」＞」画面［０３６］画面表示の表示の内容を示す。
【０２１８】
［１］番組コミュニティ名    
◎番組コミュニティの名称を全角２０文字以内で入力（可能）    
◎初期表示で番組コミュニティ名にフォーカスを当てる    
（文字入力については、デジタルＴＶのＧＵＩ（文字入力）画面を使用）。
【０２１９】
［２］フレンド＜「Friend」＞選択    
◎［フレンド選択］画面を表示    
◎［フレンド選択］アイコン内に、選択したメンバーの人数を表示。
【０２２０】
［３］番組コミュニティ概要    
◎番組コミュニティの概要を全角１５０文字以内で入力    
（文字入力については、デジタルＴＶのＧＵＩ（文字入力）画面を使用）。
【０２２１】
［４］番組コミュニティ種別    
◎番組コミュニティの種別＜「Private」／「Public」＞を選択可能    
◎「Public」は特別な権限を持っている人のみ選択できる。
【０２２２】
［５］キャンセル＜「Cancel」＞ボタン    
◎番組コミュニティの作成を中止し、画面を閉じる。
【０２２３】
（［１つ前］の画面表示として関連づけられている画面表示を表示する制御信号を出力する。）
［６］作成＜「Create」＞ボタン    
◎番組コミュニティを作成し、［番組コミュニティ＜「Community」＞詳細設定］画面を表示する。
【０２２４】
◎選択したフレンド＜Friend＞に対して、作成した番組コミュニティへの招待メッセージを送信する。
【０２２５】
図１２Ｃは、図１２Ａが示す画面表示内のボタン表示に対応する動作の一例であって、リモコンキーによる指示入力と番組コミュニティ新規作成画面［０３６］の画面表示内での動作を示す。
【０２２６】
［作成＜「Create」＞］ボタンをオン（押下）すると、    
◎『番組コミュニティを作成します』を表示する（図４７参照）。    
［図４７］において、「はい（ＹＥＳ）」／「いいえ（ＮＯ）」を表示    
「はい（ＹＥＳ）」選択、すなわち、［←］／［→］キーによりボタンにフォーカスをあて、［決定］ボタン：オン（ＯＮ）すると、番組コミュニティ新規作成画面［０３６］を表示する。    
「いいえ（ＮＯ）」選択、すなわち、［←］／［→］キーによりボタンにフォーカスをあて、［決定］ボタン：オン（ＯＮ）すると、メッセージ（［図６１］）を消去し、番組コミュニティ新規作成画面［０３６］を閉じて、［１つ前］の画面表示として関連づけられている画面表示を表示する制御信号を出力する。
【０２２７】
［キャンセル＜「Cancel」＞］キー    
◎［番組コミュニティ新規作成］画面を閉じる（［１つ前］の画面表示として関連づけられている画面表示を表示する制御信号を出力する）。
【０２２８】
＜＜番組コミュニティ編集＞＞    
図１３Ａは、実施形態に係る表示装置の画面表示の一例であって、＜番組コミュニティ編集「Edit」＞画面［０３７］の画面表示内の表示内容を示す。
【０２２９】
図１１Ａが示す番組コミュニティ詳細画面の表示から編集＜「Edit」＞を選択すると、図１３Ａに示す番組コミュニティの編集画面［０３７］がポップアップ表示により表示する。編集画面は、例えば    
◎編集＜「Edit」＞ボタン    
◎キャンセル＜「Cancel」＞ボタン    
◎削除＜「Remove」＞ボタン    
◎番組コミュニティ名    
◎フレンド選択ボタン    
◎番組コミュニティ概要    
◎番組コミュニティ種別    
を含む。
【０２３０】
図１３Ｂは、図１３Ａが示す画面表示の内容の一例であって、編集＜「Edit」＞画面表示の表示内の内容を示す。
【０２３１】
編集ボタン    
◎編集ボタンは、ログインしたユーザが、番組コミュニティマスターの場合のみ表示される（編集ボタンは、番組コミュニティマスターのみ有効）。
【０２３２】
キャンセルボタン    
◎番組コミュニティの編集を中止し、画面を閉じる。
【０２３３】
削除ボタン    
◎番組コミュニティを削除し、画面を閉じる。
【０２３４】
◎番組コミュニティに参加していたフレンドに対して、番組コミュニティを削除したメッセージを送信する。
【０２３５】
番組コミュニティ名    
◎番組コミュニティの名称を全角２０文字以内で入力（可能）。
【０２３６】
◎初期表示で番組コミュニティ名にフォーカスを当てる（文字入力については、デジタルＴＶのＧＵＩ（文字入力）画面を使用）。
【０２３７】
フレンド選択    
◎［フレンド画面］を表示    
◎［フレンド選択］アイコン内に、選択したメンバーの人数を表示。
【０２３８】
番組コミュニティ概要    
◎番組コミュニティの概要を全角１５０文字以内で入力（文字入力については、デジタルＴＶのＧＵＩ（文字入力）画面を使用）。
【０２３９】
番組コミュニティ種別    
◎無効化（番組コミュニティの種別「プライベート（非公開＜「Private」＞／パブリック（公開）＜「Public」＞は変更できない）。
【０２４０】
図１３Ｃに、図１３Ａが示す画面表示内のボタン表示に対応する動作の一例であって、リモコンキーによる制御入力に対応する画面表示内の動作の対応を示す。
【０２４１】
［編集］キーをオン（押下）すると、    
◎『番組コミュニティを編集します』、及び「はい（ＹＥＳ）」／「いいえ（ＮＯ）」ボタンを表示する。
【０２４２】
同表示に対して、「はい（ＹＥＳ）」選択すると、「番組コミュニティ名」、「番組コミュニティ概要」を編集可能に「編集」画面を表示する。また、デジタルＴＶ１０１のＧＵＩ（文字入力）画面を起動し、文字入力を受けつける。
【０２４３】
同表示に対して、「いいえ（ＮＯ）」選択すると、メッセージ（画面表示）を消去し、編集］画面を閉じる。
【０２４４】
［キャンセル］キー    
◎図４８に示すような、例えば『番組コミュニティの編集を中止します』、及び「はい（ＹＥＳ）」／「いいえ（ＮＯ）」ボタンを表示する。    
「はい（ＹＥＳ）」選択時は、編集を中止して［編集］画面を閉じ、「いいえ（ＮＯ）」選択時は、メッセージ（［図４８］）を消去する。
【０２４５】
［削除］キー    
◎図４９に示すような、例えば『本当にこの番組コミュニティを削除しますか？』、及び「はい（ＹＥＳ）」／「いいえ（ＮＯ）」ボタンを表示する。    
「はい（ＹＥＳ）」／「いいえ（ＮＯ）」の表示に対し、ユーザが、「はい（ＹＥＳ）」を選択した場合、番組コミュニティの削除を行う（番組コミュニティを削除する）。ユーザが、「いいえ（ＮＯ）」を選択した場合、メッセージ（［図４９］）を消去する。
【０２４６】
＜＜番組コミュニティ詳細設定＜「Community Detail Setting」＞＞
図１４Ａに、実施形態に係る表示装置の画面表示の一例であって、［番組コミュニティ詳細設定＜「Community Detail Setting」＞］画面の一例を示す。
【０２４７】
図１４Ａが示す［番組コミュニティ詳細設定］画面は、上述した番組コミュニティ新規作成および番組コミュニティ編集後に表示されるもので、以下の選択欄、入力欄及びボタンを含む。
【０２４８】
◎リマインダ＜「Remainder」＞選択欄    
◎番組検索セット＜「Program Search 1」＞欄Ａ＜［１］＞    
◎番組検索セット＜「Program Search 2」＞欄Ｂ＜［２］＞    
◎削除＜「Remove」＞ボタン    
◎キャンセル＜「Cancel」＞ボタン    
◎作成＜「Create」＞ボタン
「表示」としては、他に    
［番組コミュニティ名］＜「Community Name」＞欄    
［番組コミュニティＩＤ］＜「Community ID」＞欄    
［作成日］＜「yy(Year)/mm(Month)/dd(Day)」＞欄    
［番組コミュニティマスター（Owner）名］＜「Owner Name」＞欄    
［番組コミュニティ種別］＜「Community Type」＞欄    
が付属する。
【０２４９】
図１４Ｂに、図１４Ａが示す画面表示の内容の一例であって、リマインダ選択欄内の表示の内容を示す。
【０２５０】
［１］リマインダ選択欄    
◎リマインダの有無を選択（設定）可能で、
［しない（無）］／［１５分前に通知］の一方を選択する。
【０２５１】
［２］番組検索セット欄    
◎番組検索セット画面表示を表示する。
【０２５２】
◎番組検索セット画面表示で入力されたタイトル、例えば［ジャンル］や［アーティスト名］を表示する。
【０２５３】
［３］削除ボタン    
◎番組コミュニティ詳細設定情報を削除する。
【０２５４】
［４］キャンセルボタン    
◎番組コミュニティ詳細設定情報の編集（入力／設定）を中止する（中止した後、画面を閉じる）。
【０２５５】
［５］作成ボタン    
◎番組コミュニティ詳細設定情報を作成（入力／設定）する。
【０２５６】
◎番組検索セットにおいては、それぞれ、全角２０文字以内で入力（可能）である（文字入力については、デジタルＴＶのＧＵＩ（文字入力）画面を使用）。
【０２５７】
図１４Ｃに、図１４Ａが示す画面表示内のボタン表示に対応するリモコンキーによる制御入力に対応する画面表示内の動作の対応を示す。
【０２５８】
［削除］ボタン    
◎『番組コミュニティ詳細設定を削除します』、「はい（ＹＥＳ）」／「いいえ（ＮＯ）」を表示する。    
「はい（ＹＥＳ）」を選択すると、詳細設定情報を削除し、番組コミュニティ詳細設定画面を閉じる。    
「いいえ（ＮＯ）」を選択すると、メッセージを消去する。
【０２５９】
［キャンセル］ボタン    
『番組コミュニティ詳細設定を中止します』、「はい（ＹＥＳ）」／「いいえ（ＮＯ）」を表示し、「はい（ＹＥＳ）」が選択された場合は、番組コミュニティ詳細設定を中止し、番組コミュニティ詳細設定画面を閉じる。一方、「いいえ（ＮＯ）」が選択された場合、メッセージを消去する。
【０２６０】
［作成］ボタン    
◎番組コミュニティ詳細設定情報を作成（入力／設定）する。    
◎［図５０］に示す、『番組コミュニティ詳細設定を作成します』、「はい（ＹＥＳ）」／「いいえ（ＮＯ）」を表示し、「はい（ＹＥＳ）」の選択時には、［番組コミュニティ詳細設定］を保存する。「いいえ（ＮＯ）」の選択時には、メッセージ（［図５０］）を消去する。
【０２６１】
＜＜番組検索セット＞＞    
図１５Ａに、実施形態に係る表示装置の画面表示の一例であって、［番組検索セット＜「Search Set N」＞］画面を示す。
【０２６２】
［番組検索セット＜「Search Set N」＞］画面は、    
◎タイトル＜「Title」＞    
◎キーワード＜「Keyword」＞    
◎チャンネル＜「Channel List」＞欄    
◎時間帯＜「Time Range」＞欄    
◎ジャンル＜「Genre」＞欄    
◎再放送区分＜「Rebroadcast」＞欄    
◎キャンセル（中止）＜「Cancel」＞ボタン    
◎プレビュー＜「Create」＞ボタン    
◎保存＜「Save」＞ボタン    
を含む。
【０２６３】
図１５Ｂは、図１５Ａが示す画面表示の内容の一例であって、［番組検索セット］画面内の欄／ボタンの機能（表示）の内容を示す。
【０２６４】
［１］タイトル    
◎検索条件セットのタイトルを入力可能    
入力方法は、ＧＵＩを用いる直接入力（キーボード状入力画面）による。
【０２６５】
［２］チャンネル    
◎検索対象のチャンネルを設定可能    
地上波（デジタル放送）チャンネル    
ＢＳ（放送衛星が中継する放送）チャンネル    
ＣＳ（通信衛星が中継する放送）チャンネル
を設定できる。
【０２６６】
［３］時間帯    
◎検索対象とする時間帯を設定可能    
◎設定できる時間は、    
ａ）午前（ＡＭ）５：００〜（翌日の）午前（ＡＭ）４：５９    
＊入力がない場合、省略とみなし、全時間帯（ａ））を自動的に設定    
ｂ）Ａ〜Ｂ（時間（時刻）Ａから時間（時刻）Ｂまで）    
ｃ）指定なし〜Ａ（午前（ＡＭ）５：００から時間（時刻）Ａまで    
ｄ）Ａ〜指定なし（時間（時刻）Ａから午前（ＡＭ）４：５９まで
である。入力方法は、数字（英字）キーによる直接入力である。
【０２６７】
［４］ジャンル    
◎検索対象のジャンルを設定可能    
設定方法は、ＧＵＩを用いる直接入力（キーボード状入力画面）及び数字（英字）キーによる直接入力による。
【０２６８】
［５］再放送区分    
◎検索対象に「再放送」番組を含むかどうかを設定可能で、スクロール式選択表示欄により、    
「含む」／「含まない」のどちらかを選択（［含む］／［含まない］の表示の切り換えにより選択）。
【０２６９】
［６］キャンセル（中止）ボタン    
◎番組検索セット編集をキャンセルする。
【０２７０】
［８７］プレビューボタン
◎設定した条件で番組検索を行う    
プレビュー画面［図１６Ａ＜「Preview」＞］を表示する。
【０２７１】
［８］保存ボタン    
◎番組検索セット情報を保存する。
【０２７２】
図１５Ｃは、図１５Ａが示す画面表示内のボタン表示に対応するリモコンキーの操作と［番組検索セット］の画面表示内の表示に対応する動作を示す。
【０２７３】
［キャンセル］ボタン    
◎例えば、『検索条件を削除します。よろしいですか。』、及び「はい（ＹＥＳ）」／「いいえ（ＮＯ）」を表示し、「はい（ＹＥＳ）」が選択されると［番組検索セット］画面を閉じ、「いいえ（ＮＯ）」が選択されるとメッセージを消去する。
【０２７４】
［保存］ボタン    
図５１に一例として示す、『検索条件を保存します。よろしいですか。』、及び「はい（ＹＥＳ）」／「いいえ（ＮＯ）」を表示する。
【０２７５】
図５１において、「はい（ＹＥＳ）」選択時には、［番組検索セット］による検索結果を保存し、同画面を閉じる。
【０２７６】
図５１において、「いいえ（ＮＯ）」選択時には、同画面を消去する。
【０２７７】
＜＜番組検索結果（プレビュー）の表示＞＞
図１６Ａは、実施形態に係る表示装置の画面表示の一例であって、［番組検索結果＜「Preview」＞］画面の一例を示す。
【０２７８】
図１５Ａが示す［番組検索セット］画面において、プレビューボタンをオンすると表示される（表示が切り替わる）。
【０２７９】
◎検索結果画面表示
１画面表示内に、最大でＮ番組（個）、例えば６つの番組を表示できる。
【０２８０】
６より多い番組が検索できた場合、［次］ページに表示できる。
【０２８１】
図１６Ｂは、図１６Ａが示す画面表示（検索結果画面表示）の内容の一例であって、    
◎放送種別（［ＴＤ］／［ＢＳ］／［ＣＳ］表示）欄    
放送種別は、    
［ＴＤ］：通常（デジタル）放送    
［ＢＳ］：放送衛星が中継する衛星放送    
［ＣＳ］：通信衛星が中継する衛星放送    
を表示する。通常放送のうち、配信事業者（ケーブル局）等が再送する番組は、［ＴＤ］と表示する。
【０２８２】
◎チャンネル欄    
規定されたチャンネル表示を表示する。
【０２８３】
◎番組名欄    
ＥＰＧ（電子番組表）やサーバ（番組コミュニティ）から取得する番組名（タイトル）を表示する。
【０２８４】
◎放送年月日：［yy(Year)/mm(Month)/dd(Day)］欄    
放送日時を、［yy(Year)/mm(Month)/dd(Day)］の順で表示する。
【０２８５】
◎放送時刻：［hh(Hour)/mm(Minite)〜hh(Hour)/mm(Minite)］欄    
放送日時を、［開始＜Leading end＞：hh(Hour)/mm(Minite)〜終了＜Termination end＞：hh(Hour)/mm(Minite)］の順で表示する。
【０２８６】
◎ジャンル欄    
ＥＰＧ（電子番組表）やサーバ（番組コミュニティ）から取得する識別名（ジャンル）を表示する。
【０２８７】
＜＜メンバー選択＞＞    
図１７Ａは、実施形態に係る表示装置の画面表示の一例であって、［メンバー選択＜「Selected Contacts」＞］画面の一例を示す。    
図１７Ａが示す［メンバー選択］画面表示［０３８］は、
◎フレンド＜「Friend」＞一覧欄    
◎閉じる＜「Close」＞タグ    
◎選択済みフレンド＜「Friend Selected」＞一覧欄    
◎選択解除＜「Unselect all」＞ボタン    
◎キャンセル（中止）＜「Cancel」＞ボタン    
◎編集＜「Edit」＞ボタン    
◎追加＜「Add」＞ボタン    
を含む。
【０２８８】
図１７Ｂは、図１７Ａが示す画面表示の内容の一例であって、［メンバー選択］画面［０３８］内の欄／ボタンの機能（表示）を示す。
【０２８９】
［１］フレンド一覧    
◎友人（フレンド）関係となっているメンバーの一覧をアルファベット／五十音順で表示する。    
フレンド一覧に表示されているメンバーを、［↑］／［↓］カーソルで選択し（フォーカスをあて）［決定］キーを押下（オン）することにより［選択済みフレンド一覧］に追加可能（メンバーに追加される）。
【０２９０】
［２］閉じるタグ    
◎アルファベット／五十音単位で折りたたむことができる。    
デフォルトでは、折りたたまずに表示する。
【０２９１】
［３］選択済みフレンド一覧    
◎［フレンド一覧］から選択されたメンバーを表示する。    
［４］選択解除    
◎［選択解除］ボタンを押下（オン）することにより、選択済みのメンバーが解除される。
【０２９２】
［５］キャンセル（中止）    
◎［キャンセル］ボタンを押下（オン）すると、編集されていた内容をキャンセルしてメンバー選択画面を閉じる。
【０２９３】
［６−１］編集    
◎選択済みフレンドが表示するメンバーを１人ずつ編集（変更）可能であり、    
［編集］ボタンを押下（オン）すると、編集内容を保存して、メンバー選択画面を閉じる。
【０２９４】
［６］追加  
◎選択済みフレンド一覧が表示するメンバーに、メンバーを「追加」する。
【０２９５】
図１７Ｃは、図１７Ａが示す画面表示内のボタン表示に対応する制御入力と［メンバー選択］画面表示内の表示／動作を示す。
【０２９６】
［選択解除］ボタン    
◎『選択されている全てのメンバーを解除します。よろしいですか？』、及び「はい（ＹＥＳ）」／「いいえ（ＮＯ）」を表示し、「はい（ＹＥＳ）」選択時には、メンバーの解除を行う。一方、「いいえ（ＮＯ）」選択時には、メッセージ（ポップアップ）を消去する。
【０２９７】
［キャンセル］ボタン    
◎『メンバー選択を中止します。』、及び「はい（ＹＥＳ）」／「いいえ（ＮＯ）」を表示し、「はい（ＹＥＳ）」選択時は、メンバー選択を中止し、メンバー選択画面を閉じる。「いいえ（ＮＯ）」選択時は、メッセージ（ポップアップ）を消去する。なお、［戻る］キーを押下（オン）した場合も同様に、動作する（ものとする）。
【０２９８】
次に、図１１Ａを参照して、番組コミュニティについて、より詳細に説明する。
【０２９９】
＜＜番組コミュニティ概要＞＞    
図１８Ａは、実施形態に係る表示装置の画面表示の一例を示す。
【０３００】
図１８Ａは、図１１Ａに示す番組コミュニティトップ画面表示において、リモコン端末のカーソルキーの操作により「番組コミュニティ詳細」にフォーカスをあて、決定ボタンをオンすると、番組コミュニティ一覧より選択した番組コミュニティに関し、番組コミュニティの内容（概要）を確認可能な番組コミュニティ概要画面を表示する。
【０３０１】
番組コミュニティ概要画面は、    
［１］登録する＜「Subscribe」＞ボタン    
［２］番組コミュニティマスター欄    
［３］番組コミュニティ概要欄    
を表示する。
【０３０２】
図１８Ｂは、図１８Ａが示す画面表示の内容の一例であって、［番組コミュニティ概要］画面が表示する項目の内容を示す。
【０３０３】
［１］登録する    
◎［登録する］ボタンを押下すると、［登録番組コミュニティ一覧（図１１Ａの３列目）］へ登録される。
【０３０４】
［２］番組コミュニティマスター    
◎該当の番組コミュニティのマスター（作成者）の情報を表示する。
【０３０５】
［３］番組コミュニティ概要    
◎番組コミュニティの概要説明を表示する。表示内容が一画面で収まらない場合、［∧］キー（ジャンプカーソル）／［∨］キー（ジャンプカーソル）の操作により、一頁ずつ画面をスクロールできる。
【０３０６】
［戻る］キー    
◎番組コミュニティトップ画面を閉じ、クラウドホーム＜「Cloud HOME」＞画面に戻る。
【０３０７】
＜＜番組コミュニティメッセージ一覧＞＞
図１９Ａは、実施形態に係る表示装置の画面表示の一例を示す。
【０３０８】
図１９Ａは、図１１Ａに示す番組コミュニティトップ画面表示において、カーソルキーの操作により「番組コミュニティメッセージ一覧」にフォーカスをあて、決定ボタンをオンすると、番組コミュニティ一覧より選択した番組コミュニティにおける他のユーザからのメッセージを表示する番組コミュニティメッセージ一覧画面を表示する。
【０３０９】
番組コミュニティメッセージ一覧画面は、    
［１］登録する＜「Subscribe」＞ボタン    
［２］番組コミュニティメッセージ一覧欄    
を表示する。
【０３１０】
図１９Ｂは、図１９Ａが示す画面表示の内容の一例であって、［番組コミュニティメッセージ一覧］画面が表示する項目の内容を示す。
【０３１１】
［１］登録する    
◎［登録する］ボタンを押下すると、［登録番組コミュニティ一覧（図１１Ａの３列目）］へ登録される。
【０３１２】
［２］番組コミュニティメッセージ一覧    
◎番組コミュニティに投稿されたメッセージを新着順で表示する。    
◎一画面に表示できるメッセージは５個とする。    
メッセージが表示する情報は、以下の通りである    
投稿日    
投稿者（アイコン）    
投稿メッセージ（メッセージの先頭（所定文字数ＸＸ）文字）    
表示内容が一画面で収まらない場合、［↑］キー／［↓］キーの操作により、一行ずつ画面をスクロールできる。    
表示内容が一画面で収まらない場合、［∧］キー（ジャンプカーソル）／［∨］キー（ジャンプカーソル）の操作により、一頁ずつ画面をスクロールできる。
【０３１３】
［戻る］キー    
◎詳細メッセージ画面を閉じる。
【０３１４】
＜＜番組コミュニティ詳細メッセージ）＞＞    
図２０Ａは、実施形態に係る表示装置の画面表示の一例であって、［詳細メッセージ］画面［０３９］の画面表示の例を示し、図１９Ａに示す番組コミュニティメッセージ一覧画面表示において、カーソルキーの操作により１つの「メッセージ」にフォーカスをあて、決定ボタンをオン（メッセージを選択）すると、ポップアップ表示する。
【０３１５】
詳細メッセージ画面［０３９］は、    
［１］メッセージ投稿情報＜「User name（ID）, dd（Date）, mm（Month）, yy（Year）」＞欄    
［２］詳細メッセージ＜「Message（Text）」＞欄    
［３］［返信＜「Reply to」＞］ボタン    
［４］［友人申請＜「Invitation request」＞］ボタン    
［５］［閉じる＜「Close」＞］ボタン    
を表示する。
【０３１６】
図２０Ｂは、図２０Ａが示す画面表示の内容の一例であって、詳細メッセージ画面［０３９］の画面表示の内容を示す。
【０３１７】
詳細メッセージ画面は、    
［１］メッセージ投稿情報＜「User name（icon）, dd（Date）, mm（Month）, yy（Year）」＞、すなわち、    
・投稿者＜User name（icon）＞    
・投稿日＜dd（Date）, mm（Month）, yy（Year）＞    
を表示する。
【０３１８】
［２］詳細メッセージ＞    
◎投稿されたメッセージの全文を表示する。
【０３１９】
表示内容が一画面で収まらない場合、［↑］キー／［↓］キーの操作により、一行ずつ画面をスクロールできる。
【０３２０】
表示内容が一画面で収まらない場合、［∧］キー（ジャンプカーソル）／［∨］キー（ジャンプカーソル）の操作により、一頁ずつ画面をスクロールできる。
【０３２１】
［３］［返信］    
◎［同報メッセージ送信］画面を起動する。
【０３２２】
［４］［友人申請］    
◎［友人申請メッセージ送信］画面を起動する。    
ログインユーザと［番組コミュニティメンバー一覧］画面から選択された参加メンバーとが友人関係ではない場合に表示される。
【０３２３】
［５］［閉じる］ボタン    
◎詳細メッセージ画面を閉じる。
【０３２４】
＜＜番組コミュニティメンバー一覧＞＞    
図２１Ａは、実施形態に係る表示装置の画面表示の一例であって、［番組コミュニティメンバー（ユーザ）一覧］画面の一例を示し、図１１Ａに示す番組コミュニティトップ画面表示において、カーソルキーの操作により［番組コミュニティ一覧］にフォーカスをあて、決定ボタンのオンにより表示させた［番組コミュニティ一覧］画面の表示において、カーソルキーの操作により１つの番組コミュニティにフォーカスをあて、決定ボタンをオン（メッセージを選択）すると、ポップアップ表示する。
【０３２５】
図２１Ｂは、図２１Ａが示す画面表示の内容の一例であって、番組コミュニティメンバー（ユーザ）一覧画面の画面表示の内容を示す。
【０３２６】
番組コミュニティメンバー一覧画面は、図２１Ｂが示すように、該当の番組コミュニティに登録しているメンバーの一覧を、アルファベット／五十音順で表示する。
【０３２７】
◎それぞれのメンバーに対する表示内容は、例えば    
・投稿者＜User name（icon）＞    
・最新の投稿日＜dd（Date）, mm（Month）, yy（Year）／Latest＞    
・最新の投稿日    
・メッセージ投稿数    
である。
【０３２８】
番組コミュニティメンバー（数）が一画面で収まらない場合、［∧］キー（ジャンプカーソル）／［∨］キー（ジャンプカーソル）の操作により、一頁ずつ画面をスクロールできる。
【０３２９】
なお、各メンバー（メンバー１人）を選択する、すなわち任意のメンバーの欄にフォーカスをあて、［決定］キーをオンすることで、そのメンバーの詳細画面が表示される。
【０３３０】
［戻る］キーをオンすることで、番組コミュニティトップ画面を閉じる。
【０３３１】
＜＜番組コミュニティメンバー詳細＞＞
図２２Ａに、実施形態に係る表示装置の画面表示の一例であって、［メンバー詳細＜「Member（Selected Contacts）」＞］画面表示の例を示す。
【０３３２】
図２１Ａに示す［番組コミュニティメンバー一覧］の画面表示において、カーソルキーの操作により１人のメンバーにフォーカスをあて、決定ボタンをオン（メンバーを選択＜「Member（Selected Contacts）」＞）すると、図２２Ａに示す［メンバー詳細］画面［０４０］の画面表示を、ポップアップ表示する。
【０３３３】
［メンバー詳細］画面［０４０］の画面表示は、    
［１］メンバー詳細＜「Member（Selected Contacts）」＞欄    
［２］［友人申請＜「Invitation request」＞］ボタン    
［３］［メッセージを送る＜「Send a private message」＞］ボタン    
［４］［閉じる＜「Close」＞］ボタン    
を表示する。
【０３３４】
図２２Ｂは、図２２Ａが示す画面表示の内容の一例であって、メンバー詳細画面が表示する内容を示す。    
［１］メンバー詳細    
◎メンバーの詳細を表示する。
【０３３５】
［２］［友人申請］    
◎［友人申請メッセージ送信］（ＩＮＢＯＸ（図３５）のメッセージ送信画面）画面を起動する。なお、この表示（画面の起動）は、ログインユーザと［番組コミュニティメンバー一覧］画面から選択された参加メンバーとが友人関係でない場合に表示される。
【０３３６】
［３］［メッセージを送る］    
◎［個人宛メッセージ送信］画面（ＩＮＢＯＸ（図３４）のメッセージ送信画面）を起動する。
【０３３７】
［４］［閉じる］ボタン    
◎メンバー詳細画面を閉じる。
【０３３８】
［↑］キー    
［↓］キー    
◎個々の矢印キーは、［１］メンバー詳細、［２］［友人申請］、［３］［メッセージを送る］を、１つずつ移動する。
【０３３９】
［決定］キー    
◎ボタンにフォーカスがある場合、そのボタンの機能を起動する（フォーカスがあるボタンの機能を起動する（ボタンの機能を実行する制御信号を出力する））。
【０３４０】
＜＜番組コミュニティ検索＞＞
図２３Ａに、実施形態に係る表示装置の画面表示の一例であって、［番組コミュニティ検索］画面の表示例を示す。
【０３４１】
図１１Ａに示す［番組コミュニティトップ］画面表示において、カーソルキーの操作により［番組コミュニティ検索］にフォーカスをあて、決定ボタンをオンすると、図２３Ａに示す［番組コミュニティ検索］画面［０４１］の画面表示を、ポップアップ表示する。
【０３４２】
［番組コミュニティ検索＜「Search Forum」＞］画面は、    
［１］キーワード＜「Search」＞欄    
［２］ジャンル＜「Genre」＞欄    
［３］［キャンセル＜「Cancel」＞］ボタン    
［４］［検索＜「Validate」＞］ボタン    
を表示する。
【０３４３】
図２３Ｂは、図２３Ａが示す画面表示の内容の一例であって、［番組コミュニティ検索］画面［０４１］の画面表示の表示内容を示す。
【０３４４】
番組コミュニティ検索画面は、    
［１］キーワード    
◎キーワードを入力する（文字入力については、デジタルＴＶのＧＵＩ（文字入力）画面を使用）。
【０３４５】
［２］ジャンル    
◎ジャンルを選択する。
【０３４６】
［３］［キャンセル］ボタン    
◎［番組コミュニティ検索］を中止する。
【０３４７】
［４］［検索］ボタン    
◎入力されたキーワードとジャンルと、より、条件に合った［番組コミュニティ］の検索を行う。
【０３４８】
［決定］キー    
◎［キーワード］の場合は、文字入力を行う    
◎［ジャンル］の場合、ジャンル選択画面を表示する    
◎ボタンにフォーカスがある場合、そのボタンの機能を起動する。
【０３４９】
［戻る］キー    
◎［番組コミュニティ検索］画面を閉じる。
【０３５０】
＜＜おまかせ録画基本設定＞＞    
図２４Ａに、実施形態に係る表示装置の画面表示の一例であって、［おまかせ録画基本設定］画面の画面表示例を示す。
【０３５１】
図５Ａまたは図５Ｂに示す［ホーム＜HOME）］画面表示において、カーソルキーの操作により［クラウドメニュー＜Cloud Menu＞］にフォーカスをあて、決定ボタンをオンすると、図２４Ａに示す［おまかせ録画基本設定＜「Auto REC Setting」＞］画面を、ポップアップ表示する。なお、［番組コミュニティに登録＜「Subscribe」＞］設定を行う際に、［おまかせ録画＜「Auto REC」＞］の基本設定を行っていない場合にも起動される。
【０３５２】
図２４Ａが示す［おまかせ録画基本設定］画面は、    
［１］録画先選択＜「Target Device」＞欄    
［２］録画時間選択＜「Available Recording Time」＞欄    
［３］優先度選択＜「Priority」＞］欄    
［４］キャンセル＜「Cancel」＞］ボタン    
［５］［ＯＫ（設定保存）］＜「ＯＫ＜Save＞」＞］ボタン    
を含む。
【０３５３】
図２４Ｂは、図２４Ａが示す画面表示の内容の一例であって、［おまかせ録画基本設定］画面が表示する項目を説明する。
【０３５４】
［１］録画先選択    
◎録画先選択画面（図２４Ｄ）を表示し、ＨＤＤ（録画装置）を選択する。
【０３５５】
［２］録画時間選択    
◎録画時間選択画面（図２４Ｅ）を表示し、録画時間を選択する。なお、表示する録画時間は、ＨＤＤの実効容量（制御情報や管理情報による占有がなく、ユーザがコンテンツの記録（保存）に利用できる）から計算して概算値を表示する。
【０３５６】
［３］優先度選択    
◎登録している番組コミュニティに関連付けされている番組を予約する際の優先度選択画面（図４４）を表示する。
【０３５７】
［４］［キャンセル］ボタン    
◎［おまかせ録画基本設定］を中止し、画面を閉じる。
【０３５８】
［５］［ＯＫ（設定保存）］ボタン    
◎［おまかせ録画基本設定］を保存し、画面を閉じる。
【０３５９】
なお、リモコン装置側の［決定］キーを操作（オン（押下））することにより、そのボタンの機能を起動する（フォーカスがある［ボタン］のボタンの機能を起動する（ボタンの機能を実行する制御信号を出力する））。すなわち、［１］録画先選択欄においては、上述の録画先選択画面（図２４Ｄ）が表示される。また、［２］録画時間選択欄においては、上述の録画時間選択画面（図２４Ｅ）が表示される。また、［３］優先度選択欄においては、上述の優先度選択画面（図４４）が表示される。
【０３６０】
また、リモコン装置側の［戻る］キーを操作（オン（押下））することにより、おまかせ録画基本設定を中止し、画面を閉じる。
【０３６１】
なお、図２４Ｃに示すように、［おまかせ録画基本設定］画面が表示する［ＯＫ（設定保存）］ボタンがオン（押下）された場合、例えば    
『設定を保存します。よろしいですか？』という主旨のメッセージと「はい（ＹＥＳ）」／「いいえ（ＮＯ）」ボタンからなるアラート画面を、ポップアップ表示する。
【０３６２】
上述のアラート画面（メッセージ画面）表示に対し、「はい（ＹＥＳ）」が選択された場合、設定を保存する。また、「いいえ（ＮＯ）」が選択された場合、アラート画面（ポップアップ）を消去する。
【０３６３】
＜＜おまかせ録画条件設定＞＞    
図２５Ａは、実施形態に係る表示装置の画面表示の一例であって、［おまかせ録画条件設定＜「“+++ community” community auto recording setting」＞］参加した番組コミュニティで推薦されている番組を録画する場合の条件を設定する。
【０３６４】
図１１Ａに示す［番組コミュニティトップ］画面表示において、カーソルキーの操作により［登録済み番組コミュニティ＜「Subscrived Community」＞］にフォーカスをあて、決定ボタンをオンすると、図２５Ａの［おまかせ録画条件設定＜「“+++ community” community auto recording setting」＞］画面が、ポップアップする。
【０３６５】
図２５Ａが示す［おまかせ録画条件設定］画面は、    
［１］予約タイプ選択＜「Timer」＞欄    
［２］録画時間設定＜「Recording Time」＞欄    
［３］チャンネル選択＜「CH（Broadcasting）」／「CH（BS）」／（「CH（CS）」）＞］欄    
［４］キャンセル＜「Cancel」＞］ボタン    
［５］［ＯＫ（設定保存）］＜「ＯＫ＜Save＞」＞］ボタン    
を含む。
【０３６６】
図２５Ｂに、図２５Ａが示す画面表示の内容の一例であって、［おまかせ録画条件設定］画面の内容を示す。
【０３６７】
［１］予約タイプ選択    
◎視聴予約または録画予約を選択する＜＜録画予約のみ可能な機種もある＞＞。
【０３６８】
［２］録画時間設定    
◎録画時間設定画面（図５Ｆ）による、１日あたりの録画時間を制限する場合の選択（入力）を可能とする。
【０３６９】
［３］優先度選択    
◎チャンネル選択画面（図５Ｅ）を表示し、通常放送（地上デジタル）／ＢＳ（デジタル）／ＣＳ（デジタル）のそれぞれについて、録画先チャンネルの選択（入力）を可能とする。
【０３７０】
［４］［キャンセル］ボタン    
◎おまかせ録画条件設定を中止し、画面を閉じる。
【０３７１】
［５］［保存］］ボタン    
◎おまかせ録画条件設定を保存し、画面を閉じる。
【０３７２】
なお、リモコン装置側の［決定］キーを操作（オン（押下））することにより、そのボタンの機能を起動する（フォーカスがある［ボタン］のボタンの機能を起動する（ボタンの機能を実行する制御信号を出力する））。すなわち、各種設定選択では、各設定値の選択画面を表示する。
【０３７３】
また、リモコン装置側の［戻る］キーを操作（オン（押下））することにより、おまかせ録画基本設定を中止し、画面を閉じる。
【０３７４】
なお、図２５Ｃに示すように、おまかせ録画条件設定画面が表示する［保存］ボタンがオン（押下）された場合には、例えば、    
『設定を保存します。よろしいですか？』、及び「はい（ＹＥＳ）」／「いいえ（ＮＯ）」ボタンを有するアラート画面を、ポップアップ表示する。
【０３７５】
アラート画面表示に対して、「はい（ＹＥＳ）」を選択した場合、設定を保存する。
【０３７６】
一方、「いいえ（ＮＯ）」を選択した場合、アラート画面を消去する。
【０３７７】
＜＜予約時間設定＞＞    
図５Ｆに、実施形態に係る表示装置の画面表示の一例であって、図２５Ａに示した［おまかせ録画条件設定］により、参加した番組コミュニティで推薦されている番組を録画する一日あたりの条件である［予約時間設定＜「“Recording” for Timer on a day」］を設定する画面表示例を示す。
【０３７８】
図５Ｆが示す［予約時間設定］画面は、    
［１］１時間／日＜「1 hour a day」＞欄    
［２］３時間／日＜「3 hours a day」＞欄    
［３］６時間／日＜「6 hours a day」＞欄    
［４］制限なし＜「All」＞欄    
を含む。
【０３７９】
図２６に、図５Ｆが示す画面表示の内容の一例であって、［予約時間設定］画面が表示する表示内容を示す。
【０３８０】
［１］１時間／日    
◎番組コミュニティに登録された番組を１時間／日の制限で録画する。
【０３８１】
［２］３時間／日    
◎番組コミュニティに登録された番組を３時間／日の制限で録画する。
【０３８２】
［３］６時間／日    
◎番組コミュニティに登録された番組を６時間／日の制限で録画する。
【０３８３】
［４］制限なし    
◎番組コミュニティに登録された番組の制限を設けずに録画する。
【０３８４】
なお、リモコン装置側の［決定］キーを操作（オン（押下））することにより、選択された予約時間を設定（保存）し、画面を閉じる。
【０３８５】
また、リモコン装置側の［戻る］キーを操作（オン（押下））することにより、［予約時間設定］画面を閉じる。
【０３８６】
図２７に、図５Ｅの［チャンネル選択］画面表示が表示する内容を示す。
【０３８７】
［１］対象外    
◎選択された放送（地上デジタル、ＢＳデジタル、ＣＳデジタル）の番組を録画対象外とする（録画しない）。
【０３８８】
［２］制限なし    
◎選択された放送（地上デジタル、ＢＳデジタル、ＣＳデジタル）の番組を全て録画対象とする。
【０３８９】
［３］詳細設定    
◎選択された放送（地上デジタル、ＢＳデジタル、ＣＳデジタル）の詳細のチャンネルを設定する。
【０３９０】
なお、リモコン装置側の［決定］キーを操作（オン（押下））することにより、選択されたチャンネル選択を設定する。
【０３９１】
また、リモコン装置側の［戻る］キーを操作（オン（押下））することにより、［チャンネル選択］画面を閉じる。
【０３９２】
図４４は、［番組コミュニティ優先度］が選択された場合の［番組コミュニティ別優先度＜「Recording Priority」＞設定］画面を示す。なお、優先度は、ユーザを含めて設定可能である。
【０３９３】
図２８に、図４４が示す［優先度］画面表示が表示する内容を示す。
【０３９４】
［１］番組コミュニティ一覧＜「List」＞    
◎設定された番組コミュニティの一覧を表示する。
【０３９５】
［２］選択済み番組コミュニティ＜「Selected Community」＞（表示）    
◎リモコンのカーソル移動により、選択された番組コミュニティを表す。
【０３９６】
選択後、リモコンの［↑］［↓］キーにより、番組コミュニティの移動が行われて、優先度を決定する（優先度が高い順）。
【０３９７】
なお、リモコン装置側の［決定］キーを１回［１度目］の操作（オン（押下））により、対象の番組コミュニティを選択する。また、もう１回［２度目］操作（オン（押下））することにより、選択された番組コミュニティの選択を解除する。
【０３９８】
また、リモコン装置側の［戻る］キーを操作（オン（押下））することにより、［番組コミュニティ優先度］画面を閉じる。
【０３９９】
なお、［ＯＫ］ボタンがオン（押下）された場合は、アラート画面表示に準じたユーザの確認を促すアラート画面が表示され、「はい（ＹＥＳ）」／「いいえ（ＮＯ）」いずれかの（ユーザ）入力を受け付ける。
【０４００】
また、図４４が示す［優先度］画面は、家族の一人、例えば父が購読している番組コミュニティ    
［ａ］アメフト＜「American football」＞ファン番組コミュニティ、    
例えばサヤ（家族）、が購読している番組コミュニティ    
［ｂ］ケルト音楽＜「Celtic music」＞番組コミュニティ、    
［ｃ］ゴルフ＜「Golf fun」＞番組コミュニティ、    
［ｄ］人気ランキング＜「Ranking」＞番組コミュニティ、    
［ｅ］Ｆ△Ｆ△＜「Football」＞番組コミュニティ、    
等を含む。
【０４０１】
また、図４４が示す例では、最後に設定した番組コミュニティの優先度が、保存される。すなわち、例えば父が購読している［ａ］アメフト＜「American football」＞ファン番組コミュニティの優先度が、サやが購読している［ｂ］ケルト音楽＜「Celt music」＞番組コミュニティよりも優先することになる。
【０４０２】
図２９は、［おまかせ録画＜「Auto Recording」＞］が設定されていない状態（未設定時）の動作を示す。
【０４０３】
番組コミュニティの登録による録画予約あるいは視聴予約は、テレビ装置１０１本体において、おまかせ録画の設定を行っている必要がある。このため、番組コミュニティ一覧から購読設定を行う際に、おまかせ録画設定の有無をチェックし、未設定の場合にはアラートメッセージを表示させて、おまかせ録画の設定を行うように誘導する必要がある。
【０４０４】
図２９に示すように、おまかせ録画設定は、番組コミュニティの登録と関連して、番組コミュニティ選択［２９−１］、［登録する］ボタンオン（押下）［２９−２］、登録確認ポップアップメッセージ表示［２９−３］に続いて、おまかせ録画設定あり？［２９−４］で、おまかせ録画設定が設定済みであることをチェックする［２９−４−ＹＥＳ］。
【０４０５】
おまかせ録画設定が未設定である場合［２９−４−ＮＯ］、おまかせ録画を設定する意思を確認するポップアップメッセージを表示し［２９−５］、「おまかせ録画基本設定」画面を表示しておまかせ録画の設定を促す［２９−６］。
【０４０６】
以下、図５Ｄに示した「登録／おまかせ録画する」画面を表示し、番組コミュニティの登録による録画予約あるいは視聴予約が可能に、［おまかせ録画］の設定完了に導く。
【０４０７】
このように、テレビ装置（録画済番組リスト）１０１が保持する１つの番組の出演者やグループ、グループメンバーのうちの任意のメンバー、ジャンル、共演者、等をクラスタとしたクラスタグループ（番組コミュニティ）に基づいて、番組コミュニティ（クラスタグループ）の選択（登録）により、放送中の番組の視聴中もしくは録画済の番組の再生中に、文字入力を必要とすることなく、ユーザの視聴希望（要望）に合致する最適で多様な番組検索結果を提示させる（おまかせ録画を予約登録する）ことができる。
【０４０８】
また、検索結果は、番組一覧、等ではなく、任意数のクラスタグループのリスト表示であることにより、ユーザ（メンバー）の検索手順に関して、高い拡張性を提供できる。
【０４０９】
なお、番組コミュニティ（クラスタグループ）は、登録したメンバー（ユーザ）による編集（改変）、追加が可能であり、ユーザ（メンバー）毎の検索に関するノウハウが蓄積され、検索結果の精度が向上していく。また、番組コミュニティ（クラスタグループ）では、検索に関するノウハウが蓄積された検索結果を、ユーザ（メンバー）間でシェアできるため、少数の有識者が提案（改良）したものを多数のユーザが享受することができる。
【０４１０】
さらに、自分と趣味嗜好の似たユーザがクラスタグループに集まるので、趣味嗜好の似たユーザ同士のコミュニケーションを促進できる。
【０４１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015056139.tif 000003
【図２】
2015056139.tif 000004
【図３】
2015056139.tif 000005
【図４Ａ】
2015056139.tif 000006
【図４Ｂ】
2015056139.tif 000007
【図４Ｃ】
2015056139.tif 000008
【図４Ｄ】
2015056139.tif 000009
【図５Ａ】
2015056139.tif 000010
【図５Ｂ】
2015056139.tif 000011
【図５Ｃ】
2015056139.tif 000012
【図５Ｄ】
2015056139.tif 000013
【図５Ｅ】
2015056139.tif 000014
【図５Ｆ】
2015056139.tif 000015
【図５Ｇ】
2015056139.tif 000016
【図５Ｈ】
2015056139.tif 000017
【図６】
2015056139.tif 000018
【図７Ａ】
2015056139.tif 000019
【図７Ｂ】
2015056139.tif 000020
【図７Ｃ】
2015056139.tif 000021
【図８】
2015056139.tif 000022
【図９Ａ】
2015056139.tif 000023
【図９Ｂ】
2015056139.tif 000024
【図１０Ａ】
2015056139.tif 000025
【図１０Ｂ】
2015056139.tif 000026
【図１０Ｃ】
2015056139.tif 000027
【図１１Ａ】
2015056139.tif 000028
【図１１Ｂ】
2015056139.tif 000029
【図１２Ａ】
2015056139.tif 000030
【図１２Ｂ】
2015056139.tif 000031
【図１２Ｃ】
2015056139.tif 000032
【図１３Ａ】
2015056139.tif 000033
【図１３Ｂ】
2015056139.tif 000034
【図１３Ｃ】
2015056139.tif 000035
【図１４Ａ】
2015056139.tif 000036
【図１４Ｂ】
2015056139.tif 000037
【図１４Ｃ】
2015056139.tif 000038
【図１５Ａ】
2015056139.tif 000039
【図１５Ｂ】
2015056139.tif 000040
【図１５Ｃ】
2015056139.tif 000041
【図１６Ａ】
2015056139.tif 000042
【図１６Ｂ】
2015056139.tif 000043
【図１７Ａ】
2015056139.tif 000044
【図１７Ｂ】
2015056139.tif 000045
【図１７Ｃ】
2015056139.tif 000046
【図１８Ａ】
2015056139.tif 000047
【図１８Ｂ】
2015056139.tif 000048
【図１９Ａ】
2015056139.tif 000049
【図１９Ｂ】
2015056139.tif 000050
【図２０Ａ】
2015056139.tif 000051
【図２０Ｂ】
2015056139.tif 000052
【図２１Ａ】
2015056139.tif 000053
【図２１Ｂ】
2015056139.tif 000054
【図２２Ａ】
2015056139.tif 000055
【図２２Ｂ】
2015056139.tif 000056
【図２３Ａ】
2015056139.tif 000057
【図２３Ｂ】
2015056139.tif 000058
【図２４Ａ】
2015056139.tif 000059
【図２４Ｂ】
2015056139.tif 000060
【図２４Ｃ】
2015056139.tif 000061
【図２４Ｄ】
2015056139.tif 000062
【図２４Ｅ】
2015056139.tif 000063
【図２５Ａ】
2015056139.tif 000064
【図２５Ｂ】
2015056139.tif 000065
【図２５Ｃ】
2015056139.tif 000066
【図２６】
2015056139.tif 000067
【図２７】
2015056139.tif 000068
【図２８】
2015056139.tif 000069
【図２９】
2015056139.tif 000070
【図３０】
2015056139.tif 000071
【図３１】
2015056139.tif 000072
【図３２】
2015056139.tif 000073
【図３３】
2015056139.tif 000074
【図３４】
2015056139.tif 000075
【図３５】
2015056139.tif 000076
【図３６】
2015056139.tif 000077
【図３７】
2015056139.tif 000078
【図３８】
2015056139.tif 000079
【図３９】
2015056139.tif 000080
【図４０】
2015056139.tif 000081
【図４１】
2015056139.tif 000082
【図４２】
2015056139.tif 000083
【図４３】
2015056139.tif 000084
【図４４】
2015056139.tif 000085
【図４５】
2015056139.tif 000086
【図４６】
2015056139.tif 000087
【図４７】
2015056139.tif 000088
【図４８】
2015056139.tif 000089
【図４９】
2015056139.tif 000090
【図５０】
2015056139.tif 000091
【図５１】
2015056139.tif 000092